(57)【特許請求の範囲】
【請求項１】
ワイヤレス通信のための方法であって、
第１のユーザデバイスで、フィードバック報告を生成することと、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、スケジューリング装置から前記第１のユーザデバイスへの前記ＳＵ通信のパフォーマンスを示す第１のチャネル品質インジケータ（ＣＱＩ）に対応し、前記ＰＭＩの前記行列構造の第２の列は、前記スケジューリング装置による前記第１のユーザデバイスへの別の予想される共同スケジュール送信と同時に実行される、前記スケジューリング装置による第２のユーザデバイスへの予想される共同スケジュール送信を備える前記ＭＵ通信のパフォーマンスを示す第２のＣＱＩに対応する、
前記フィードバック報告を前記スケジューリング装置に送信することと
を備える方法。
【請求項２】
前記ＰＭＩが、潜在的な同時送信のために前記スケジューリング装置で使用される、
請求項１に記載の方法。
【請求項３】
前記ＰＭＩが、前記予想される共同スケジュール送信および前記別の予想される共同スケジュール送信のために前記スケジューリング装置で使用される、請求項１に記載の方法。
【請求項４】
前記フィードバック報告の構造が、前記第２のユーザデバイスによって前記スケジューリング装置に送信される別のフィードバック報告の構造とマッチングされる、請求項１に記載の方法。
【請求項５】
前記ＳＵ通信だけに合わせて調整された他のプリコーディング情報と比較して、定義されたパフォーマンス範囲内にあるプリコーディング情報のセットを識別すること
をさらに備え、
ここで、前記フィードバック報告が、前記ＭＵ通信のパフォーマンスが特定のレベルにあるように前記セットからの選択されたプリコーディング情報を備える、請求項１に記載の方法。
【請求項６】
前記フィードバック報告の中に定義された値のランクインジケータ（ＲＩ）を含むことによって、前記フィードバック報告が前記ＭＵ通信のうちの１つに関連することをシグナリングすること
をさらに備える、請求項１に記載の方法。
【請求項７】
前記フィードバック報告の中に前記第１のＣＱＩまたは前記第２のＣＱＩの定義された値を含むことによって、前記フィードバック報告が前記ＭＵ通信のうちの１つに関連することをシグナリングすること
をさらに備え、
ここで、前記第１のＣＱＩまたは前記第２のＣＱＩの前記定義された値が、前記第１のユーザデバイスで測定された前記第２のユーザデバイスへの前記送信から生じた干渉を示す、請求項１に記載の方法。
【請求項８】
前記フィードバック報告が、前記送信および前記別の予想される共同スケジュール送信のために前記スケジューリング装置により潜在的に使用されるべきプリコーディング情報を備え、
前記プリコーディング情報が、プリコーディング情報のセットの中で好ましいものとして選択される、請求項１に記載の方法。
【請求項９】
無線リソース制御（ＲＲＣ）シグナリングに基づいて、前記スケジューリング装置から、プリコーディング情報の前記セットについてのシグナリングを受信すること
をさらに備える、請求項８に記載の方法。
【請求項１０】
前記第１のＣＱＩおよび前記第２のＣＱＩが、インターレース上の通信に関連した干渉のレベルを示し、
前記第１のＣＱＩと前記第２のＣＱＩとの組合せが、前記インターレース上の前記フィードバック報告に関連したランクを運搬する、請求項１に記載の方法。
【請求項１１】
ワイヤレス通信のための装置であって、
フィードバック報告を生成するための手段と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、スケジューリング装置から前記装置への前記ＳＵ通信のパフォーマンスを示す第１のチャネル品質インジケータ（ＣＱＩ）に対応し、前記ＰＭＩの前記行列構造の第２の列は、前記スケジューリング装置による前記装置への別の予想される共同スケジュール送信と同時に実行される、前記スケジューリング装置による別の装置への予想される共同スケジュール送信を備える前記ＭＵ通信のパフォーマンスを示す第２のＣＱＩに対応する、
前記フィードバック報告を前記スケジューリング装置に送信するための手段と
を備える装置。
【請求項１２】
前記ＰＭＩが、潜在的な同時送信のために前記スケジューリング装置で使用される、
請求項１１に記載の装置。
【請求項１３】
前記ＰＭＩが、前記予想される共同スケジュール送信および前記別の予想される共同スケジュール送信のために前記スケジューリング装置で使用される、請求項１１に記載の装置。
【請求項１４】
前記フィードバック報告の構造が、前記別の装置によって前記スケジューリング装置に送信される別のフィードバック報告の構造とマッチングされる、請求項１１に記載の装置。
【請求項１５】
前記ＳＵ通信だけに合わせて調整された他のプリコーディング情報と比較して、定義されたパフォーマンス範囲内にあるプリコーディング情報のセットを識別すること
をさらに備え、
ここで、前記フィードバック報告が、前記ＭＵ通信のパフォーマンスが特定のレベルにあるように前記セットからの選択されたプリコーディング情報を備える、請求項１１に記載の装置。
【請求項１６】
前記フィードバック報告の中に定義された値のランクインジケータ（ＲＩ）を含むことによって、前記フィードバック報告が前記ＭＵ通信のうちの１つに関連することをシグナリングすること
をさらに備える、請求項１１に記載の装置。
【請求項１７】
前記フィードバック報告の中に前記第１のＣＱＩまたは前記第２のＣＱＩの定義された値を含むことによって、前記フィードバック報告が前記ＭＵ通信のうちの１つに関連することをシグナリングするための手段
をさらに備え、
ここで、前記第１のＣＱＩまたは前記第２のＣＱＩの前記定義された値が、前記装置で測定された前記別の装置への送信から生じた干渉を示す、請求項１１に記載の装置。
【請求項１８】
前記フィードバック報告が、前記送信および前記別の予想される共同スケジュール送信のために前記スケジューリング装置により潜在的に使用されるべきプリコーディング情報を備え、
前記プリコーディング情報が、プリコーディング情報のセットの中で好ましいものとして選択される、請求項１１に記載の装置。
【請求項１９】
無線リソース制御（ＲＲＣ）シグナリングに基づいて、前記スケジューリング装置から、プリコーディング情報の前記セットについてのシグナリングを受信するための手段
をさらに備える、請求項１８に記載の装置。
【請求項２０】
前記第１のＣＱＩおよび前記第２のＣＱＩが、インターレース上の通信に関連した干渉のレベルを示し、
前記第１のＣＱＩと前記第２のＣＱＩとの組合せが、前記インターレース上の前記フィードバック報告に関連したランクを運搬する、請求項１１に記載の装置。
【請求項２１】
ワイヤレス通信のための装置であって、
フィードバック報告を生成するように構成された第１の回路と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、スケジューリング装置から前記装置への前記ＳＵ通信のパフォーマンスを示す第１のチャネル品質インジケータ（ＣＱＩ）に対応し、前記ＰＭＩの前記行列構造の第２の列は、前記スケジューリング装置による前記装置への別の予想される共同スケジュール送信と同時に実行される、前記スケジューリング装置による別の装置への予想される共同スケジュール送信を備える前記ＭＵ通信のパフォーマンスを示す第２のＣＱＩに対応する、
前記フィードバック報告を前記スケジューリング装置に送信するように構成された送信機と
を備える装置。
【請求項２２】
ワイヤレス通信のためのコンピュータプログラムであって、
第１のユーザデバイスで、フィードバック報告を生成する手順と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、スケジューリング装置から前記第１のユーザデバイスへの前記ＳＵ通信のパフォーマンスを示す第１のチャネル品質インジケータ（ＣＱＩ）に対応し、前記ＰＭＩの前記行列構造の第２の列は、前記スケジューリング装置による前記第１のユーザデバイスへの別の予想される共同スケジュール送信と同時に実行される、前記スケジューリング装置による第２のユーザデバイスへの予想される共同スケジュール送信を備える前記ＭＵ通信のパフォーマンスを示す第２のＣＱＩに対応する、
前記フィードバック報告を前記スケジューリング装置に送信する手順と
をコンピュータに実行させるコンピュータプログラム。
【請求項２３】
少なくとも１つのアンテナと、
フィードバック報告を生成するように構成された第１の回路と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、スケジューリング装置からアクセス端末への前記ＳＵ通信のパフォーマンスを示す第１のチャネル品質インジケータ（ＣＱＩ）に対応し、前記ＰＭＩの前記行列構造の第２の列は、前記スケジューリング装置による前記アクセス端末への別の予想される共同スケジュール送信と同時に実行される、アクセスポイントによる別のアクセス端末への予想される共同スケジュール送信を備える前記ＭＵ通信のパフォーマンスを示す第２のＣＱＩに対応する、
前記少なくとも１つのアンテナを介して、前記フィードバック報告を前記アクセスポイントに送信するように構成された送信機と
を備えるアクセス端末。
【請求項２４】
ワイヤレス通信のための方法であって、
スケジューリング装置で、複数の装置の各々から、フィードバック報告を受信することと、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、前記スケジューリング装置からその装置への前記ＳＵ通信のパフォーマンスを示す第１のチャネル品質インジケータ（ＣＱＩ）に対応し、前記ＰＭＩの前記行列構造の第２の列は、前記スケジューリング装置によるその装置への別の予想される共同スケジュール送信と同時に実行される、前記スケジューリング装置による別の装置への予想される共同スケジュール送信を備える前記ＭＵ通信のパフォーマンスを示す第２のＣＱＩに対応する、
前記フィードバック報告に基づいて、前記装置のうちの少なくとも２つを、前記スケジューリング装置から前記少なくとも２つの装置への潜在的な同時送信のために識別することと
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、方法。
【請求項２５】
識別することが、
前記第１のフィードバック報告の中で示されるプリコーディング情報を、前記第２のフィードバック報告の中で示される他のプリコーディング情報とマッチングすること
をさらに備え、
前記プリコーディング情報が前記第１の装置への送信のために使用され、前記他のプリコーディング情報が前記第２の装置への送信のために使用される、請求項２４に記載の方法。
【請求項２６】
前記フィードバック報告および定義されたエラー値に基づいて、前記少なくとも２つの装置との通信のパフォーマンスを評価すること
をさらに備える、請求項２４に記載の方法。
【請求項２７】
無線リソース制御（ＲＲＣ）シグナリングを使用して、前記装置の各々にプリコーディング情報のセットを示すこと
をさらに備え、
ここで、前記セットからの前記プリコーディング情報のうちの１つが、その装置への、および前記複数の装置のうちの別の装置への潜在的な同時送信のために前記スケジューリング装置によって使用されるべきその装置で選択される、請求項２４に記載の方法。
【請求項２８】
前記セットからの前記選択されたプリコーディング情報が、前記同時送信の前に前記スケジューリング装置によって潜在的に適用されるべきプリコーダのペアについての情報を備える、請求項２７に記載の方法。
【請求項２９】
前記第１のＣＱＩと前記第２のＣＱＩとの組合せが、インターレース上の通信に関連した干渉のレベルを示し、前記方法が、
前記第１のＣＱＩと前記第２のＣＱＩとの前記組合せに基づいて、前記インターレース上のそのフィードバック報告に関連したランクを判定すること
をさらに備える、請求項２４に記載の方法。
【請求項３０】
ワイヤレス通信のための装置であって、
複数の装置の各々から、フィードバック報告を受信するための手段と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、前記装置から前記複数の装置のうちの１つへの前記ＳＵ通信のパフォーマンスを示す第１のチャネル品質インジケータ（ＣＱＩ）に対応し、前記ＰＭＩの前記行列構造の第２の列は、前記装置によるその装置への別の予想される共同スケジュール送信と同時に実行される、前記装置による前記複数の装置のうちの別のものへの予想される共同スケジュール送信を備える前記ＭＵ通信のパフォーマンスを示す第２のＣＱＩに対応する、
前記フィードバック報告に基づいて、前記装置のうちの少なくとも２つを、前記装置から前記少なくとも２つの装置への潜在的な同時送信のために識別するための手段
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、装置。
【請求項３１】
前記識別するための手段が、
前記第１のフィードバック報告の中で示されるプリコーディング情報を、前記第２のフィードバック報告の中で示される他のプリコーディング情報とマッチングするための手段をさらに備え、
ここで、前記プリコーディング情報が前記第１の装置への送信のために使用され、前記他のプリコーディング情報が前記第２の装置への送信のために使用される、請求項３０に記載の装置。
【請求項３２】
前記フィードバック報告および定義されたエラー値に基づいて、前記少なくとも２つの装置との通信のパフォーマンスを評価するための手段
をさらに備える請求項３０に記載の装置。
【請求項３３】
無線リソース制御（ＲＲＣ）シグナリングを使用して、前記装置の各々にプリコーディング情報のセットを示すための手段
をさらに備え、
ここで、前記セットからの前記プリコーディング情報のうちの１つが、その装置への、および前記複数の装置のうちの別の装置への潜在的な同時送信のために前記装置によって使用されるべきその装置で選択される、請求項３０に記載の装置。
【請求項３４】
前記セットからの前記選択されたプリコーディング情報が、前記同時送信の前に前記装置によって潜在的に適用されるべきプリコーダのペアについての情報を備える、請求項３３に記載の装置。
【請求項３５】
前記第１のＣＱＩと前記第２のＣＱＩとの組合せが、インターレース上の通信に関連した干渉のレベルを示し、前記装置が、
前記第１のＣＱＩと前記第２のＣＱＩとの前記組合せに基づいて、前記インターレース上のそのフィードバック報告に関連したランクを判定するための手段
をさらに備える、請求項３０に記載の装置。
【請求項３６】
ワイヤレス通信のための装置であって、
複数の装置の各々から、フィードバック報告を受信するように構成された受信機と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、前記装置から前記複数の装置のうちの１つへの前記ＳＵ通信のパフォーマンスを示す第１のチャネル品質インジケータ（ＣＱＩ）に対応し、前記ＰＭＩの前記行列構造の第２の列は、前記装置によるその装置への別の予想される共同スケジュール送信と同時に実行される、前記装置による前記複数の装置のうちの別のものへの予想される共同スケジュール送信を備える前記ＭＵ通信のパフォーマンスを示す第２のＣＱＩに対応する、
前記フィードバック報告に基づいて、前記装置のうちの少なくとも２つを、前記装置から前記少なくとも２つの装置への潜在的な同時送信のために識別するように構成された第１の回路と
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、装置。
【請求項３７】
ワイヤレス通信のためのコンピュータプログラムであって、
スケジューリング装置で、複数の装置の各々から、フィードバック報告を受信する手順と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、前記スケジューリング装置から前記複数の装置のうちの１つへの前記ＳＵ通信のパフォーマンスを示す第１のチャネル品質インジケータ（ＣＱＩ）に対応し、前記ＰＭＩの前記行列構造の第２の列は、前記スケジューリング装置によるその装置への別の予想される共同スケジュール送信と同時に実行される、前記スケジューリング装置による前記複数の装置のうちの別のものへの予想される共同スケジュール送信を備える前記ＭＵ通信のパフォーマンスを示す第２のＣＱＩに対応する、
前記フィードバック報告に基づいて、前記装置のうちの少なくとも２つを、前記スケジューリング装置から前記少なくとも２つの装置への潜在的な同時送信のために識別する手順と、ここで、前記少なくとも２つの装置のうちの第１のものから送信される第１のフィードバック報告における情報が、前記少なくとも２つの装置のうちの第２のものから送信される第２のフィードバック報告における情報とマッチする、
をコンピュータに実行させるコンピュータプログラム。
【請求項３８】
少なくとも１つのアンテナと、
複数の装置の各々から、前記少なくとも１つのアンテナを介して、フィードバック報告を受信するように構成された受信機と、ここで、前記フィードバック報告は、シングルユーザ（ＳＵ）通信およびマルチユーザ（ＭＵ）通信の両方についてのフィードバックを有する単一のプリコーディング行列情報（ＰＭＩ）を備え、前記ＰＭＩの行列構造の第１の列は、アクセスポイントから前記複数の装置のうちの１つへの前記ＳＵ通信のパフォーマンスを示す第１のチャネル品質インジケータ（ＣＱＩ）に対応し、前記ＰＭＩの前記行列構造の第２の列は、前記アクセスポイントによるその装置への別の予想される共同スケジュール送信と同時に実行される、前記アクセスポイントによる前記複数の装置のうちの別のものへの予想される共同スケジュール送信を備える前記ＭＵ通信のパフォーマンスを示す第２のＣＱＩに対応する、
前記フィードバック報告に基づいて、前記アクセス端末のうちの少なくとも２つを、前記アクセスポイントから前記少なくとも２つのアクセス端末への潜在的な同時送信のために識別するように構成された第１の回路と
を備え、
ここで、前記少なくとも２つの装置のうちの第１のものから送信される第１のフィードバック報告における情報が、前記少なくとも２つの装置のうちの第２のものから送信される第２のフィードバック報告における情報とマッチする、アクセスポイント。
【発明の詳細な説明】
【技術分野】
【０００１】
米国特許法第１１９条に基づく優先権の主張
本出願は、本発明の譲受人に譲渡され、したがって参照により本明細書に明示的に組み込まれる、２０１０年９月８日に出願された「ＵＮＩＦＩＥＤ  ＦＥＥＤＢＡＣＫ  ＦＲＡＭＥＷＯＲＫ  ＦＯＲ  ＭＵ−ＭＩＭＯ  ＥＮＨＡＮＣＥＭＥＮＴ  ＢＡＳＥＤ  ＯＮ
ＩＮＤＩＣＡＴＩＯＮ  ＯＦ  ＰＲＥＦＥＲＲＥＤ  ＰＲＥＣＯＤＥＲ  ＰＡＩＲＩＮＧＳ」と題する米国仮特許出願第６１／３８０，８０４号、および２０１０年１０月４日に出願された「ＵＮＩＦＩＥＤ  ＦＥＥＤＢＡＣＫ  ＦＲＡＭＥＷＯＲＫ  ＦＯＲ  ＭＵ−ＭＩＭＯ  ＥＮＨＡＮＣＥＭＥＮＴ  ＢＡＳＥＤ  ＯＮ  ＩＮＤＩＣＡＴＩＯＮ  ＯＦ
ＰＲＥＦＥＲＲＥＤ  ＰＲＥＣＯＤＥＲ  ＰＡＩＲＩＮＧＳ」と題する米国仮特許出願第６１／３８９，４８０号の利益を主張する。
【０００２】
本開示のいくつかの態様は一般にワイヤレス通信に関し、より詳細には、好ましいプリコーダペアリングの指示に基づくマルチユーザ多入力多出力（ＭＵ−ＭＩＭＯ）強化のための統合フィードバックフレームワークを生成する方法に関する。
【背景技術】
【０００３】
ワイヤレス通信システムは、音声、データなど、様々なタイプの通信コンテンツを提供するために広く展開されている。これらのシステムは、利用可能なシステムリソース（たとえば、帯域幅および送信電力）を共有することによって複数のユーザとの通信をサポートすることが可能な多元接続システムであり得る。そのような多元接続システムの例は、符号分割多元接続（ＣＤＭＡ）システム、時分割多元接続（ＴＤＭＡ）システム、周波数分割多元接続（ＦＤＭＡ）システム、３ｒｄ  Ｇｅｎｅｒａｔｉｏｎ  Ｐａｒｔｎｅｒｓｈｉｐ  Ｐｒｏｊｅｃｔ（３ＧＰＰ（登録商標））Ｌｏｎｇ  Ｔｅｒｍ  Ｅｖｏｌｕｔｉｏｎ（ＬＴＥ）システム、Ｌｏｎｇ  Ｔｅｒｍ  Ｅｖｏｌｕｔｉｏｎ  Ａｄｖａｎｃｅｄ（ＬＴＥ−Ａ）システムおよび直交周波数分割多元接続（ＯＦＤＭＡ）システムを含む。
【０００４】
概して、ワイヤレス多元接続通信システムは、複数のワイヤレス端末のための通信を同時にサポートすることができ得る。各端末は、順方向リンクおよび逆方向リンク上での送信によって１つまたは複数の基地局と通信する。順方向リンク（またはダウンリンク）とは、基地局から端末への通信リンクを指し、逆方向リンク（またはアップリンク）とは、端末から基地局への通信リンクを指す。この通信リンクは、単入力単出力、多入力単出力、または多入力多出力（ＭＩＭＯ）システムを介して確立され得る。
【０００５】
ＭＩＭＯシステムは、データ伝送に複数の（ＮＴ）送信アンテナと複数の（ＮＲ）受信アンテナとを採用する。ＮＴ個の送信アンテナおよびＮＲ個の受信アンテナによって形成されるＭＩＭＯチャネルは、ＮＳ個の独立チャネルに分解可能で、これは空間チャネルとも呼ばれ、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与え得る。
【０００６】
ＭＩＭＯシステムは時分割複信（ＴＤＤ）動作と周波数分割複信（ＦＤＤ）動作の両方をサポートする。ＴＤＤシステムでは、順方向および逆方向リンク送信が同一周波数領域上で行われるので、相反定理（reciprocity principle）による逆方向リンクチャネルからの順方向リンクチャネルの推定が可能であり得る。ＦＤＤとＴＤＤの両方のシステムでは、ユーザ端末から送られたフィードバックは、他の方法の中でも、チャネル状態情報を基地局に搬送するために使用され得る。基地局にあるチャネル状態情報により、複数のアンテナが基地局で利用可能なとき、基地局は順方向リンク上で送信ビームフォーミング利得を取り出すことが可能になる。
【０００７】
マルチユーザ多入力多出力（ＭＵ−ＭＩＭＯ）の強化は、ＬＴＥ  Ｒｅｌｅａｓｅ  １０の重要な側面とみなされている。そのため、フィードバック報告に対する改善が広く研究されており、正確なフィードバック報告が、効率的なＭＵ−ＭＩＭＯ動作および動的なシングルユーザ／マルチユーザ（ＳＵ／ＭＵ）切替えの成功への鍵のうちの１つであることが示された。これらの研究の重要な側面は、ＭＵ−ＭＩＭＯ動作が追加フィードバック報告を通じて促進されるべきかどうか、またはプリコーディング行列情報（ＰＭＩ）のシングルユーザ多入力多出力（ＳＵ−ＭＩＭＯ）報告が十分なパフォーマンスを与えるかどうかを判断することであった。
【発明の概要】
【０００８】
本開示のいくつかの態様は、ワイヤレス通信のための方法を提供する。本方法は、一般に、第１のユーザデバイスで、シングルユーザ（ＳＵ）通信およびマルチユーザ（ＭＵ）通信のために統合された構造を備えたフィードバック報告を生成することであって、フィードバック報告の中で示される層（layer）が、スケジューリング装置による第１のユーザデバイスへの別の予想送信（anticipated transmission）と同時に実行される、スケジューリング装置による第２のユーザデバイスへの予想送信に関連することと、フィードバック報告をスケジューリング装置に送信することとを含む。
【０００９】
本開示のいくつかの態様は、ワイヤレス通信のための第１のユーザデバイスに関する。第１のユーザデバイスは、一般に、シングルユーザ（ＳＵ）通信およびマルチユーザ（ＭＵ）通信のために統合された構造を備えたフィードバック報告を生成するための手段であって、フィードバック報告の中で示される層が、スケジューリング装置による第１のユーザデバイスへの別の予想送信と同時に実行される、スケジューリング装置による第２のユーザデバイスへの予想送信に関連する手段と、フィードバック報告をスケジューリング装置に送信する手段とを含む。
【００１０】
本開示のいくつかの態様は、ワイヤレス通信のための第１のユーザデバイスに関する。第１のユーザデバイスは、一般に、シングルユーザ（ＳＵ）通信およびマルチユーザ（ＭＵ）通信のために統合された構造を備えたフィードバック報告を生成するように構成された第１の回路であって、フィードバック報告の中で示される層が、スケジューリング装置による第１のユーザデバイスへの別の予想送信と同時に実行される、スケジューリング装置による第２のユーザデバイスへの予想送信に関連する第１の回路と、フィードバック報告をスケジューリング装置に送信するように構成された送信機とを含む。
【００１１】
本開示のいくつかの態様は、ワイヤレス通信のための実行可能命令を含むコンピュータ可読媒体を提供する。この実行可能命令は、一般に、第１のユーザデバイスで、シングルユーザ（ＳＵ）通信およびマルチユーザ（ＭＵ）通信のために統合された構造を備えたフィードバック報告を生成するための命令であって、フィードバック報告の中で示される層が、スケジューリング装置による第１のユーザデバイスへの別の予想送信と同時に実行される、スケジューリング装置による第２のユーザデバイスへの予想送信に関連する命令と、フィードバック報告をスケジューリング装置に送信するための命令とを含む。
【００１２】
本開示のいくつかの態様は、アクセス端末を提供する。このアクセス端末は、一般に、少なくとも１つのアンテナと、シングルユーザ（ＳＵ）通信およびマルチユーザ（ＭＵ）通信のために統合された構造を備えたフィードバック報告を生成するように構成された第１の回路であって、フィードバック報告の中で示される層が、スケジューリング装置によるアクセス端末への別の予想送信と同時に実行される、アクセスポイントによる別のアクセス端末への予想送信に関連する第１の回路と、少なくとも１つのアンテナを介して、フィードバック報告をアクセスポイントに送信するように構成された送信機とを含む。
【００１３】
本開示のいくつかの態様は、ワイヤレス通信のための方法を提供する。本方法は、一般に、複数の装置からスケジューリング装置で、シングルユーザ（ＳＵ）通信およびマルチユーザ（ＭＵ）通信のために統合された構造を備えたフィードバック報告を受信することと、フィードバック報告に基づいて、スケジューリング装置から少なくとも２つの装置への潜在的な同時送信のために装置のうちの少なくとも２つを識別することとを含み、少なくとも２つの装置のうちの第１のものから送信されたフィードバック報告のうちの第１のものにおける情報が、少なくとも２つの装置のうちの第２のものから送信されたフィードバック報告のうちの第２のものにおける情報とマッチする。
【００１４】
本開示のいくつかの態様は、ワイヤレス通信のための装置を提供する。この装置は、一般に、複数の装置から、シングルユーザ（ＳＵ）通信およびマルチユーザ（ＭＵ）通信のために統合された構造を備えたフィードバック報告を受信するための手段と、フィードバック報告に基づいて、装置から少なくとも２つの装置への潜在的な同時送信のために装置のうちの少なくとも２つを識別するための手段とを含み、少なくとも２つの装置のうちの第１のものから送信されたフィードバック報告のうちの第１のものにおける情報が、少なくとも２つの装置のうちの第２のものから送信されたフィードバック報告のうちの第２のものにおける情報とマッチする。
【００１５】
本開示のいくつかの態様は、ワイヤレス通信のための装置を提供する。この装置は、一般に、複数の装置から、シングルユーザ（ＳＵ）通信およびマルチユーザ（ＭＵ）通信のために統合された構造を備えたフィードバック報告を受信するように構成された受信機と、フィードバック報告に基づいて、装置から少なくとも２つの装置への潜在的な同時送信のために装置のうちの少なくとも２つを識別するように構成された第１の回路とを含み、少なくとも２つの装置のうちの第１のものから送信されたフィードバック報告のうちの第１のものにおける情報が、少なくとも２つの装置のうちの第２のものから送信されたフィードバック報告のうちの第２のものにおける情報とマッチする。
【００１６】
本開示のいくつかの態様は、ワイヤレス通信のための実行可能命令を含むコンピュータ可読媒体を提供する。この実行可能命令は、一般に、複数の装置からスケジューリング装置で、シングルユーザ（ＳＵ）通信およびマルチユーザ（ＭＵ）通信のために統合された構造を備えたフィードバック報告を受信するための命令と、フィードバック報告に基づいて、スケジューリング装置から少なくとも２つの装置への潜在的な同時送信のために装置のうちの少なくとも２つを識別するための命令とを含み、少なくとも２つの装置のうちの第１のものから送信されたフィードバック報告のうちの第１のものにおける情報が、少なくとも２つの装置のうちの第２のものから送信されたフィードバック報告のうちの第２のものにおける情報とマッチする。
【００１７】
本開示のいくつかの態様は、アクセスポイントを提供する。このアクセスポイントは、一般に、少なくとも１つのアンテナと、複数のアクセス端末から少なくとも１つのアンテナを介して、シングルユーザ（ＳＵ）通信およびマルチユーザ（ＭＵ）通信のために統合された構造を備えたフィードバック報告を受信するように構成された受信機と、フィードバック報告に基づいて、アクセスポイントから少なくとも２つのアクセス端末への潜在的な同時送信のためにアクセス端末のうちの少なくとも２つを識別するように構成された第１の回路とを含み、少なくとも２つのアクセス端末のうちの第１のものから送信されたフィードバック報告のうちの第１のものにおける情報が、少なくとも２つのアクセス端末のうちの第２のものから送信されたフィードバック報告のうちの第２のものにおける情報とマッチする。
【００１８】
本開示の上述の特徴を詳細に理解し得るように、添付の図面にその一部を示す態様を参照することによって、上記で簡単に要約したより具体的な説明が得られてもよい。しかし、添付の図面は、本開示の特定の典型的な態様のみを示し、したがって、本開示の範囲の限定とみなされてはならず、その理由は、この説明がその他の同等の効果のある態様をもたらし得るからであることに留意されたい。
【図面の簡単な説明】
【００１９】
【図１】本開示のいくつかの態様による、例示的な多元接続ワイヤレス通信システムを示す図。
【図２】本開示のいくつかの態様による、アクセスポイントおよびユーザ端末のブロック図。
【図３】本開示のいくつかの態様による例示的なワイヤレスデバイスのブロック図。
【図４】本開示のいくつかの態様による、フィードバックを報告するためにユーザ機器（ＵＥ）で実行され得る例示的な動作を示す図。
【図４Ａ】図４に示す動作を実行することが可能な例示的な構成要素を示す図。
【図５】本開示のいくつかの態様による、同時マルチユーザ送信をスケジューリングするためにスケジューリング装置で実行され得る例示的な動作を示す図。
【図５Ａ】図５に示す動作を実行することが可能な例示的な構成要素を示す図。
【発明を実施するための形態】
【００２０】
添付の図面を参照しながら本開示の様々な態様について以下でより十分に説明する。ただし、本開示は、多くの異なる形態で実施され得るものであり、本開示全体にわたって提示する任意の特定の構造または機能に限定されるものと解釈すべきではない。むしろ、これらの態様は、本開示が周到で完全になり、本開示の範囲を当業者に十分に伝えるために与えるものである。本明細書の教示に基づいて、本開示の範囲は、本開示の他の態様とは無関係に実装されるにせよ、本開示の他の態様と組み合わせて実装されるにせよ、本明細書で開示する本開示のいかなる態様をもカバーするものであることを、当業者なら諒解されたい。たとえば、本明細書に記載の態様をいくつ使用しても、装置を実現し、または方法を実施することができ得る。さらに、本開示の範囲は、本明細書に記載の本開示の様々な態様に加えてまたはそれらの態様以外に、他の構造、機能、または構造および機能を使用して実施されるそのような装置またはそのような方法をカバーするものとする。本明細書で開示する本開示の任意の態様が請求項の１つまたは複数の要素によって実施し得ることを理解されたい。
【００２１】
「例示的」という単語は、本明細書では「例、事例、または例示の働きをすること」を意味するために使用する。「例示的」として本明細書で説明するいかなる態様も、必ずしも他の態様よりも好適または有利なものと解釈すべきではない。
【００２２】
本明細書では特定の態様について説明するが、これらの態様の多くの変形体および置換は本開示の範囲内に入る。好ましい態様のいくつかの利益および利点について説明するが、本開示の範囲は特定の利益、使用、または目的に限定されるものではない。むしろ、本開示の態様は、様々なワイヤレス技術、システム構成、ネットワーク、および送信プロトコルに広く適用可能であるものとし、そのうちのいくつかを例として図および好ましい態様についての以下の説明で示す。発明を実施するための形態および図面は、限定的なものではなく本開示を説明するものにすぎず、本開示の範囲は添付の特許請求の範囲およびその均等物によって規定される。
【００２３】
例示的なワイヤレス通信システム
本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなど様々なワイヤレス通信ネットワークに対して使用し得る。「ネットワーク」および「システム」という用語は、しばしば互換的に使用される。ＣＤＭＡネットワークは、汎用地上波無線アクセス（ＵＴＲＡ）、ＣＤＭＡ２０００などの無線技術を実装し得る。ＵＴＲＡは、Ｗｉｄｅｂａｎｄ−ＣＤＭＡ（Ｗ−ＣＤＭＡ（登録商標））と低チップレート（ＬＣＲ）とを含む。ＣＤＭＡ２０００は、ＩＳ−２０００規格と、ＩＳ−９５規格と、ＩＳ−８５６規格とをカバーする。ＴＤＭＡネットワークは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡネットワークは、次世代ＵＴＲＡ（Ｅ−ＵＴＲＡ）、ＩＥＥＥ８０２．１１、ＩＥＥＥ８０２．１６、ＩＥＥＥ８０２．２０、フラッシュＯＦＤＭ（登録商標）など、無線技術を実装し得る。ＵＴＲＡ、Ｅ−ＵＴＲＡ、およびＧＳＭは、Ｕｎｉｖｅｒｓａｌ  Ｍｏｂｉｌｅ  Ｔｅｌｅｃｏｍｍｕｎｉｃａｔｉｏｎ
Ｓｙｓｔｅｍ（ＵＭＴＳ）の一部である。Ｌｏｎｇ  Ｔｅｒｍ  Ｅｖｏｌｕｔｉｏｎ（ＬＴＥ）およびＬＴＥ  Ａｄｖａｎｃｅｄ（ＬＴＥ−Ａ）は、Ｅ−ＵＴＲＡを使用するＵＭＴＳの新しいリリースである。ＵＴＲＡ、Ｅ−ＵＴＲＡ、ＧＳＭ、ＵＭＴＳ、ＬＴＥおよびＬＴＥ−Ａは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。ＣＤＭＡ２０００は、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。ＣＤＭＡ２０００は、「３ｒｄ
Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。これらの様々な無線技術および規格は当技術分野で知られている。明快のために、本技法のいくつかの態様について以下ではＬＴＥ−Ａに関して説明し、以下の説明の大部分でＬＴＥ−Ａ用語を使用する。
【００２４】
シングルキャリア周波数分割多元接続（ＳＣ−ＦＤＭＡ）は、送信機側でシングルキャリア変調を利用し、受信機側で周波数領域等化を利用する１つの送信技法である。ＳＣ−ＦＤＭＡは、ＯＦＤＭＡシステムと同様の性能および本質的に同じ全体的な複雑さを有する。ただし、ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰ  ＬＴＥ、ＬＴＥ−ＡおよびＥｖｏｌｖｅｄ  ＵＴＲＡにおけるアップリンク多元接続方式に関する実用的な前提である。
【００２５】
本明細書の教示は、様々なワイヤードまたはワイヤレス装置（たとえば、ノード）に組み込まれ得る（たとえば、その装置内に実装され、またはその装置によって実行され得る）。いくつかの態様では、ノードはワイヤレスノードを備える。たとえば、そのようなワイヤレスノードは、ワイヤードまたはワイヤレス通信リンクを介した、ネットワーク（たとえば、インターネットまたはセルラーネットワークなど、ワイドエリアネットワーク）のための、またはネットワークへの接続性を与え得る。いくつかの態様では、本明細書の教示に従って実装されるワイヤレスノードはアクセスポイントまたはアクセス端末を備え得る。
【００２６】
アクセスポイント（「ＡＰ」）は、ノードＢ、無線ネットワークコントローラ（「ＲＮＣ」）、ｅノードＢ、基地局コントローラ（「ＢＳＣ」）、ベーストランシーバ局（「ＢＴＳ」）、基地局（「ＢＳ」）、トランシーバ機能（「ＴＦ」）、無線ルータ、無線トランシーバ、基本サービスセット（「ＢＳＳ」）、拡張サービスセット（「ＥＳＳ」）、無線基地局（「ＲＢＳ」）、または何らかの他の用語を備えるか、それらのいずれかとして実装されるか、あるいはそれらのいずれかとして知られていることがある。いくつかの実装形態では、アクセスポイントは、セットトップボックスキオスク、メディアセンター、あるいは、ワイヤレスまたはワイヤード媒体を介して通信するように構成された任意の他の好適なデバイスを備え得る。
【００２７】
アクセス端末（「ＡＴ」）は、アクセス端末、加入者局、加入者ユニット、移動局、リモート局、リモート端末、ユーザ端末、ユーザエージェント、ユーザデバイス、ユーザ機器、ユーザ局、または何らかの他の用語を備えるか、それらのいずれかとして実装されるか、あるいはそれらのいずれかとして知られていることがある。いくつかの実装形態では、アクセス端末は、セルラー電話、コードレス電話、セッション開始プロトコル（「ＳＩＰ」）電話、ワイヤレスローカルループ（「ＷＬＬ」）局、携帯情報端末（「ＰＤＡ」）、ワイヤレス接続機能を有するハンドヘルドデバイス、局（「ＳＴＡ」）、またはワイヤレスモデムに接続された何らかの他の好適な処理デバイスを備え得る。したがって、本明細書で教示する１つまたは複数の態様は、電話（たとえば、セルラー電話またはスマートフォン）、コンピュータ（たとえば、ラップトップ）、ポータブル通信デバイス、ポータブルコンピューティングデバイス（たとえば、個人情報端末）、タブレット、娯楽デバイス（たとえば、音楽またはビデオデバイス、あるいは衛星ラジオ）、テレビジョンディスプレイ、フリップカメラ（flip-cam）、セキュリティビデオカメラ、デジタルビデオレコーダ（ＤＶＲ）、全地球測位システムデバイス、あるいはワイヤレスまたはワイヤード媒体を介して通信するように構成された他の好適なデバイスに組み込まれ得る。
【００２８】
図１を参照すると、一態様による多元接続ワイヤレス通信システムが示されている。アクセスポイント１００（ＡＰ）は複数のアンテナグループを含み得、あるアンテナグループはアンテナ１０４と１０６とを含み、別のアンテナグループはアンテナ１０８と１１０とを含み、追加のアンテナグループはアンテナ１１２と１１４とを含む。図１では、各アンテナグループに２つのアンテナのみが示されているが、各アンテナグループにより多いまたはより少ないアンテナが利用され得る。アクセス端末１１６（ＡＴ）はアンテナ１１２および１１４と通信中であり得、アンテナ１１２および１１４は、順方向リンク１２０上でアクセス端末１１６に情報を送信し、逆方向リンク１１８上でアクセス端末１１６から情報を受信する。アクセス端末１２２はアンテナ１０６および１０８と通信中であり得、アンテナ１０６および１０８は、順方向リンク１２６上でアクセス端末１２２に情報を送信し、逆方向リンク１２４上でアクセス端末１２２から情報を受信する。ＦＤＤシステムでは、通信リンク１１８、１２０、１２４および１２６は、通信のための異なる周波数を使用し得る。たとえば、順方向リンク１２０は、逆方向リンク１１８によって使用される周波数とは異なる周波数を使用し得る。
【００２９】
アンテナの各グループ、および／またはアンテナが通信するように設計されたエリアは、しばしば、アクセスポイントのセクタと呼ばれる。本開示の一態様では、各アンテナグループは、アクセスポイント１００によってカバーされるエリアのセクタ内でアクセス端末に通信するように設計され得る。
【００３０】
順方向リンク１２０および１２６上の通信では、アクセスポイント１００の送信アンテナは、異なるアクセス端末１１６および１２４に対して順方向リンクの信号対雑音比を改善するためにビームフォーミングを利用し得る。また、アクセスポイントが、ビームフォーミングを使用して、そのカバレージ中にランダムに分散されたアクセス端末に送信するほうが、アクセスポイントが単一のアンテナを介してすべてのそのアクセス端末に送信するよりも、隣接セル中のアクセス端末への干渉が小さくなる。
【００３１】
図２に、多入力多出力（ＭＩＭＯ）システム２００における送信機システム２１０（アクセスポイントとしても知られる）および受信機システム２５０（アクセス端末としても知られる）の態様のブロック図を示す。送信機システム２１０において、いくつかのデータストリームのトラフィックデータがデータソース２１２から送信（ＴＸ）データプロセッサ２１４に供給される。
【００３２】
本開示の一態様では、各データストリームは、それぞれの送信アンテナを介して送信され得る。ＴＸデータプロセッサ２１４は、符号化データを与えるために、各データストリームのトラフィックデータを、そのデータストリーム用に選択された特定の符号化方式に基づいてフォーマットし、符号化し、インターリーブする。
【００３３】
各データストリームの符号化データは、ＯＦＤＭ技法を使用してパイロットデータと多重化し得る。パイロットデータは、一般的に、知られている方法で処理され、チャネル応答を推定するために受信機システムにおいて使用し得る知られているデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、コーディング、および変調は、プロセッサ２３０によって実行される命令によって判断され得る。
【００３４】
すべてのデータストリームの変調シンボルがＴＸ  ＭＩＭＯプロセッサ２２０に供給され、ＴＸ  ＭＩＭＯプロセッサ２２０はさらに（たとえば、ＯＦＤＭ用に）その変調シンボルを処理し得る。次いで、ＴＸ  ＭＩＭＯプロセッサ２２０はＮＴ個の変調シンボルストリームをＮＴ個の送信機（ＴＭＴＲ）２２２ａ〜２２２ｔに供給する。本開示のいくつかの態様では、ＴＸ  ＭＩＭＯプロセッサ２２０は、データストリームのシンボルと、シンボルの送信元のアンテナとにビームフォーミング重みを適用する。
【００３５】
各送信機２２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。次いで、送信機２２２ａ〜２２２ｔからのＮＴ個の変調信号が、ＮＴ個のアンテナ２２４ａ〜２２４ｔからそれぞれ送信される。
【００３６】
受信機システム２５０では、送信された変調信号はＮＲ個のアンテナ２５２ａ〜２５２ｒによって受信され得、各アンテナ２５２からの受信信号は、それぞれの受信機（ＲＣＶＲ）２５４ａ〜２５４ｒに供給され得る。各受信機２５４は、それぞれの受信信号を調整（たとえば、フィルタ処理、増幅、およびダウンコンバート）し、調整された信号をデジタル化して、サンプルを供給し、さらにそれらのサンプルを処理して、対応する「受信」シンボルストリームを供給し得る。
【００３７】
次いで、ＲＸデータプロセッサ２６０は、ＮＲ個の受信機２５４からＮＲ個の受信シンボルストリームを受信し、それらのＮＲ個の受信シンボルストリームを特定の受信機処理技法に基づいて処理してＮＴ個の「検出」シンボルストリームを提供する。次いで、ＲＸデータプロセッサ２６０は、各検出シンボルストリームを復調し、デインターリーブし、復号して、データストリームのトラフィックデータを復元する。ＲＸデータプロセッサ２６０による処理は、送信機システム２１０におけるＴＸ  ＭＩＭＯプロセッサ２２０およびＴＸデータプロセッサ２１４によって実行される処理を補足するものであり得る。
【００３８】
プロセッサ２７０は、どのプリコーディング行列を使用すべきかを定期的に判断する。プロセッサ２７０は、行列インデックス部とランク値部とを備える逆方向リンクメッセージを作成する。逆方向リンクメッセージは、通信リンクおよび／または受信データストリームに関する様々なタイプの情報を備え得る。次いで、逆方向リンクメッセージは、データソース２３６からいくつかのデータストリームのトラフィックデータをも受信するＴＸデータプロセッサ２３８によって処理され、変調器２８０によって変調され、送信機２５４ａ〜２５４ｒによって調整され、送信機システム２１０に戻される。
【００３９】
送信機システム２１０において、受信機システム２５０からの変調信号は、アンテナ２２４によって受信され、受信機２２２によって調整され、復調器２４０によって復調され、受信機システム２５０によって送信された逆方向リンクメッセージを抽出するためにＲＸデータプロセッサ２４２によって処理される。次いで、プロセッサ２３０は、ビームフォーミング重みを判定するためにどのプリコーディング行列を使用すべきかを判定し、抽出されたメッセージを処理する。
【００４０】
本開示のいくつかの態様によれば、フィードバック報告は、図１のユーザ端末１１６、１２２のいずれかからアクセスポイント１００へ、および／または図２のユーザ端末２５０からアクセスポイント２１０へ送信され得る。正確なフィードバック報告は、マルチユーザ多入力多出力（ＭＵ−ＭＩＭＯ）ワイヤレスシステムの効率的な動作のための成功への鍵のうちの１つであり得、動的なシングルユーザ／マルチユーザ（ＳＵ／ＭＵ）切替えをも提供し得る。一態様では、フィードバック報告は、プリコーディング行列情報（ＰＭＩ）を報告することに基づき得る。
【００４１】
図３に、図１のワイヤレス通信システム内で採用し得るワイヤレスデバイス３０２において利用し得る様々な構成要素を示す。ワイヤレスデバイス３０２は、本明細書で説明する様々な方法を実装するように構成し得るデバイスの一例である。ワイヤレスデバイス３０２は、図１のアクセスポイント１００、またはアクセス端末１１６、１２２のいずれかであり得る。
【００４２】
ワイヤレスデバイス３０２は、ワイヤレスデバイス３０２の動作を制御するプロセッサ３０４を含み得る。プロセッサ３０４は中央処理装置（ＣＰＵ）と呼ばれることもある。読取り専用メモリ（ＲＯＭ）とランダムアクセスメモリ（ＲＡＭ）の両方を含み得るメモリ３０６は、命令とデータとをプロセッサ３０４に与える。メモリ３０６の一部は不揮発性ランダムアクセスメモリ（ＮＶＲＡＭ）をも含み得る。プロセッサ３０４は一般的に、メモリ３０６内に記憶されたプログラム命令に基づいて、論理および演算動作を実行する。メモリ３０６中の命令は、本明細書で説明する方法を実装するために実行可能であり得る。
【００４３】
ワイヤレスデバイス３０２は、ワイヤレスデバイス３０２と遠隔地との間のデータの送信および受信を可能にするために、送信機３１０と受信機３１２とを含み得るハウジング３０８をも含み得る。送信機３１０と受信機３１２とを組み合わせてトランシーバ３１４を形成し得る。単一または複数の送信アンテナ３１６は、ハウジング３０８に取り付けられ、トランシーバ３１４に電気的に結合され得る。ワイヤレスデバイス３０２は、複数の送信機、複数の受信機、複数のトランシーバをも含み得る（図示せず）。
【００４４】
ワイヤレスデバイス３０２は、トランシーバ３１４によって受信された信号のレベルを検出および定量化するために使用し得る信号検出器３１８をも含み得る。信号検出器３１８は、総エネルギー、シンボルごとのサブキャリア当たりのエネルギー、電力スペクトル密度および他の信号などの信号を検出し得る。ワイヤレスデバイス３０２は、信号を処理する際に使用するためのデジタル信号プロセッサ（ＤＳＰ）３２０をも含み得る。
【００４５】
ワイヤレスデバイス３０２の様々な構成要素は、データバスに加えて、パワーバス、制御信号バス、およびステータス信号バスを含み得るバスシステム３２２によって一緒に結合し得る。
【００４６】
本開示のいくつかの態様によれば、フィードバック報告は、ワイヤレスデバイス３０２から、ワイヤレスデバイス３０２のために機能する基地局へ送信し得る（図３に図示せず）。ワイヤレスデバイス３０２に関連する正確なフィードバック報告は、ＭＵ−ＭＩＭＯワイヤレスシステムの効率的な動作のための成功への鍵のうちの１つであり得、動的なＳＵ／ＭＵ切替えをも提供し得る。一態様では、フィードバック報告は、ＰＭＩを報告することに基づき得る。
【００４７】
本開示の一態様では、論理ワイヤレス通信チャネルは、制御チャネルとトラフィックチャネルとに分類され得る。論理制御チャネルは、システム制御情報をブロードキャストするためのダウンリンク（ＤＬ）チャネルであるブロードキャスト制御チャネル（ＢＣＣＨ）を備え得る。ページング制御チャネル（ＰＣＣＨ）は、ページング情報を転送するＤＬ論理制御チャネルである。マルチキャスト制御チャネル（ＭＣＣＨ）は、１つまたは複数のマルチキャストトラフィックチャネル（ＭＴＣＨ）についてのマルチメディアブロードキャストおよびマルチキャストサービス（ＭＢＭＳ）のスケジューリングおよび制御情報を送信するために使用されるポイントツーマルチポイントＤＬ論理制御チャネルである。概して、無線リソース制御（ＲＲＣ）接続を確立した後、ＭＣＣＨは、ＭＢＭＳを受信するユーザ端末によって使用されるだけであり得る。専用制御チャネル（ＤＣＣＨ）は、専用制御情報を送信するポイントツーポイント双方向論理制御チャネルであり、ＲＲＣ接続を有するユーザ端末によって使用される。論理トラフィックチャネルは、ユーザ情報を転送するための１つのユーザ端末に専用のポイントツーポイント双方向チャネルである専用トラフィックチャネル（ＤＴＣＨ）を備え得る。さらに、論理トラフィックチャネルは、トラフィックデータを送信するためのポイントツーマルチポイントＤＬチャネルであるマルチキャストトラフィックチャネル（ＭＴＣＨ）を備え得る。
【００４８】
トランスポートチャネルは、ＤＬチャネルとＵＬチャネルとに分類され得る。ＤＬトランスポートチャネルは、ブロードキャストチャネル（ＢＣＨ）、ダウンリンク共有データチャネル（ＤＬ−ＳＤＣＨ）、およびページングチャネル（ＰＣＨ）を備え得る。ＰＣＨは、ユーザ端末において節電をサポートするために利用され（すなわち、不連続受信（ＤＲＸ）サイクルがネットワークによってユーザ端末に示され得）、セル全体にわたってブロードキャストされ、他の制御／トラフィックチャネルのために使用され得る物理レイヤ（ＰＨＹ）リソースにマッピングされ得る。ＵＬトランスポートチャネルは、ランダムアクセスチャネル（ＲＡＣＨ）、要求チャネル（ＲＥＱＣＨ）、アップリンク共有データチャネル（ＵＬ−ＳＤＣＨ）、および複数のＰＨＹチャネルを備え得る。
【００４９】
ＰＨＹチャネルは、ＤＬチャネルとＵＬチャネルとのセットを備え得る。ＤＬ  ＰＨＹチャネルは以下を備え得る：共通パイロットチャネル（ＣＰＩＣＨ）、同期チャネル（ＳＣＨ）、共通制御チャネル（ＣＣＣＨ）、共有ＤＬ制御チャネル（ＳＤＣＣＨ）、マルチキャスト制御チャネル（ＭＣＣＨ）、共有ＵＬ割当てチャネル（ＳＵＡＣＨ）、肯定応答チャネル（ＡＣＫＣＨ）、ＤＬ物理共有データチャネル（ＤＬ−ＰＳＤＣＨ）、ＵＬ電力制御チャネル（ＵＰＣＣＨ）、ページングインジケータチャネル（ＰＩＣＨ）、負荷インジケータチャネル（ＬＩＣＨ）。ＵＬ  ＰＨＹチャネルは以下を備え得る：物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、ＵＬ物理共有データチャネル（ＵＬ−ＰＳＤＣＨ）、およびブロードバンドパイロットチャネル（ＢＰＩＣＨ）。
【００５０】
本開示の一態様では、単一キャリア波形の低ＰＡＰＲ特性を維持するチャネル構造を提供する。任意の所与の時間に、チャネルは連続的であっても、または周波数の中で均一に離隔されてもよい。
【００５１】
本開示のいくつかの態様は、必要な場合に、ユーザ機器（ＵＥ）がＳＵ−ＭＩＭＯ動作のためのＰＭＩ報告をＭＵ−ＭＩＭＯ動作に合わせて調整することを可能にする統合フィードバックフレームワークをサポートする。このフレームワークの主要な要素は、ＰＭＩ報告をＭＵ−ＭＩＭＯ動作に合わせて調整し得るにもかかわらず、まったく別のＭＵーＭＩＭＯ固有のフィードバック報告を必要としないということがあり得る。
【００５２】
ＭＵ−ＭＩＭＯ強化のための統合フィードバックフレームワーク
暗黙的なＰＭＩベースのフィードバックは、ＳＵ−ＭＩＭＯベースの送信方式のために十分に機能し得る。しかしながら、ＭＵ−ＭＩＭＯ動作のために、１よりも大きいランクを持つＰＭＩ報告は、ＭＵ−ＭＩＭＯ動作にスケジューリングされたＵＥのうちの１つがそのＰＭＩ報告に対応するよりも少ない層を割り当てられている場合には特に、いくつか課題を提起し得る。対照的に、この課題は、個々のチャネル方向情報（ＣＤＩ）がフィードバックされる明示的なフィードバック方式では生じない場合がある。この問題は、１よりも大きいランクを持つＰＭＩが報告される場合にのみ関連する場合があり、そうでない場合、暗黙的フィードバックと明示的フィードバックとは概念的に同一であり得、非常によく似たパフォーマンスを提供し得る。
【００５３】
［0059］チャネルフィードバックに関する別の課題は、ＰＭＩフィードバックの粒度（granularity）が比較的粗いことから生じ得る。ＬＴＥ  Ｒｅｌｅａｓｅ  １０は、ｅノードＢが４つの送信アンテナを備える場合、ランク１の報告とランク２の報告の両方のために４ビットフィードバックを与えるＬＴＥ  Ｒｅｌｅａｓｅ  ８と同じコードブックを利用し得る。これはＳＵ−ＭＩＭＯ動作のためには十分であるが、ＭＵ−ＭＩＭＯパフォーマンスは、共同スケジュールユーザへの干渉をゼロにすることを目的とするため、フィードバックの量子化に対してより敏感であり得る。共同スケジュールＵＥに対してどれだけの干渉が生成され得るのかを評価することはより難しいので、この影響はｅノードＢにおけるＭＵ−ＭＩＭＯユーザ選択をより困難にし得る。
【００５４】
本開示では、後者の課題を取り上げ、通常のＳＵ−ＭＩＭＯ報告メカニズムを使用して、好ましいプリコーダペアリングをｅノードＢに通知するための方法を提案する。
【００５５】
本開示の一態様では、統合フィードバックフレームワークは、ＰＭＩを、単にそれらが達成し得る能力に基づく代わりに、それらがいかにうまくチャネルを量子化するかに部分的に基づいて選択することによって、報告を改善し得る。具体的には、この方法は、最初にＳＵ−ＭＩＭＯ能力を最大化し得る好ましいＳＵ−ＭＩＭＯ  ＰＭＩを識別し得る。次いで、第２のステップでは、多くともαのパフォーマンスロスを持つ候補ＰＭＩのセットが識別され得る。これは、すべてのＰＭＩを再検査し、当初選択したＰＭＩと比べてＳＵ−ＭＩＭＯ能力に関してαよりも大きくないパフォーマンスロスを持つものを識別することによって達成され得る。このステップは、以下のステップでどんなにＰＭＩが再選択されようとも、ＳＵ−ＭＩＭＯパフォーマンスはせいぜい要因αによって損害を被る場合があるということを保証し得る。次いで、第３のステップでは、候補ＰＭＩのセットの中で、最もよく真のチャネル方向を量子化するものが選択され得る。たとえば、ランク２のＰＭＩ報告の場合、支配層（dominant layer）のためのプリコーダがチャネルの固有方向に最も近いＰＭＩが選択され得る。最後に、当初識別されたＳＵ−ＭＩＭＯ  ＰＭＩの代わりに、このＰＭＩが報告され得る。
【００５６】
好ましいプリコーダペアリングを含むための統合フィードバックの拡張
本開示の中で提案する統合フィードバックフレームワークは、異なるランクを持つＳＵ−ＭＩＭＯ報告および好ましいプリコーダペアリングを持つＭＵ−ＭＩＭＯ報告を運搬する統合された方法を構築するために、ＰＭＩ、チャネル品質インジケータ（ＣＱＩ）およびランクインジケータ（ＲＩ）シグナリングを活用し得る。具体的には、ＭＵ−ＭＩＭＯ固有のフィードバック報告の場合、ＵＥは、ＭＵ−ＭＩＭＯは一般的に２人のユーザがペアになっており、各々１つの層を受信する方式で動作するという事実を活用し得る。したがって、ランク１の報告は一般的に、ｅノードＢ側でのスケジューリングを可能にするためにＵＥにとって十分であり得る。しかしながら、ＵＥは、同時にスケジュールされた他の層があった場合、そのレートが何であったのかという追加情報を運搬するために、より高いランクの報告を送信し得るという事実を活用し得る。この場合、ＣＱＩおよびデルタＣＱＩの値は両方の層が与える強度および能力についての追加情報を提供し得るので、これはランク２の報告にとっては特に有用であり得る。２よりも大きなランクについては、ＣＱＩおよびデルタＣＱＩはコードワード固有であり、３つ以上のコードワードはＬＴＥの中でサポートされ得ないので、この情報は利用可能ではあり得ず、各層についての個々の情報はこの場合不明であり得る。
【００５７】
本開示では、この情報を運搬する手順をより詳細に取り上げ、パフォーマンスを改善するためにスケジューラでこの手順をどのように使用し得るのかを示す。また本開示は、どのようにしてこのフレームワークをｅノードＢ側で従来のスケジューリングおよびフェアネスプロトコルとともに使用し得るのかについて取り上げる。さらに、本開示は、どのようにして統合動作を達成し得るのかに詳細に焦点を当てている。これは、ｅノードＢが異なるランク（具体的には、ランク１およびランク２）を持つＳＵ−ＭＩＭＯ報告とＭＵ−ＭＩＭＯ報告を区別し得るかに基づいて、異なる信号の選択肢を取り上げる。
【００５８】
好ましいプリコーダペアリングの指示
効率的なＭＵ−ＭＩＭＯ動作の成功への鍵は、共同スケジュールＵＥに送信される層のために小さいセル内干渉を生じ得る良好なユーザペアリングを発見することからなり得る。典型的なワイドエリアネットワーク（ＷＡＮ）配置において、すべてのＵＥペアリングにわたって徹底的な検索を実行することは可能かもしれないが、ＵＥによるフィードバック報告は限られた量の情報しか運搬できないので、効率的なペアリングを実行することは依然として難しい場合がある。これらの報告が設計上、ＳＵ−ＭＩＭＯの方により合わせたものであり得るという事実は、特に、ＰＭＩフィードバックの粒度が比較的低く、ＣＱＩ情報が限定されているために問題を複雑にし、１よりも大きいランクを持つフィードバックの場合に使用を難しくし得る。
【００５９】
これら制限の結果、特定のＵＥペアリングがＭＵ−ＭＩＭＯ動作において達成するパフォーマンスをただＳＵ−ＭＩＭＯ報告から外挿（extrapolation）することによって推定することは非常に難しい場合がある。段落［0059］で述べたように、ＰＭＩが合計能力を最適化することとは反対にチャネルをよりよく量子化でき得るようにＰＭＩ選択を調整し得る代替のＰＭＩ選択手順（PMI selection procedure）が考えられる。しかしながら、ＰＭＩの粒度は同じままなので、ＭＵ−ＭＩＭＯパフォーマンスを外挿することは難しいままであり得る。
【００６０】
本開示では、ＵＥが、ＭＵ−ＭＩＭＯ動作が有用であり得ると考える場合、それ自体のチャネル方向情報を運搬するだけでなく、好ましいプリコーダペアリングについてのいくつかの情報も提供し得るようにＵＥ報告を変更することを提案する。しかしながら、個別のＭＵ−ＭＩＭＯ固有のＰＭＩ報告を送信することに依存し得るベストコンパニオンＰＭＩフィードバックなどの他の方法とは対照的に、本開示は、ＰＭＩフィードバックを既存のフィードバックフレームワークに統合する方法を提案する。
【００６１】
提案する手順は、ランク２のＰＭＩ報告に基づいて説明し得る。本文中で後に、いかにしてこの手順がランク１とランク２の両方のＰＭＩフィードバックを統合し得るのかについて示す。具体的には、ランク２ＰＭＩの列を固有のＵＥに送信され得る代表層（representing layers）と考える代わりに、支配層だけがＵＥに送信され得、一方で他の層はＭＵ−ＭＩＭＯ動作の中で共同スケジュールＵＥのために使用され得ると考える。この仮定に基づいて、フィードバック報告に対応するＣＱＩおよびデルタＣＱＩは、理想的にはそれらのプリコーダが完全に互換性を持つような方法で、ＵＥをそれらのフィードバックに基づいてペアリングするためにスケジューリング装置で（たとえば、ｅノードＢで）利用され得る。そうである場合、（ＣＱＩおよびデルタＣＱＩ報告によって判定される）ＵＥあたり支配層に対応するＣＱＩは、共同スケジュールＵＥからの干渉を備えることができ、このＭＵ−ＭＩＭＯペアリングを条件とするスペクトル効率を予測するｅノードＢの能力を大いに高め得る。
【００６２】
ランク２の報告がＭＵ−ＭＩＭＯ動作のためだけに使用される場合、２つのＣＱＩ値を送信しなくてもよいことに留意されたい。基礎をなすコードブックに一定の仮定が置かれている場合、２つのＰＭＩのシグナリングでさえ回避し得る。具体的には、（予想される共同スケジュール送信を仮定して）支配層の実際のＣＱＩを判定するために、ＣＱＩおよびデルタＣＱＩが単独で使用されてもよく、推奨プリコーダペアリングのための正確なＣＱＩを知ることは必要でなくてもよい。
【００６３】
上記のことは、手順をさらに改善するための動機として役立ち得る。具体的には、最初に、最高のランク１のプリコーダと比較してαよりも悪くないパフォーマンスを提供し得るすべてのランク１のプリコーダのセットを識別し得る。この候補ＰＭＩのセットの中の各プリコーダのために、ＵＥはその第１の列としてランク１のプリコーダを持つ対応するランク２のＰＭＩを調べることができ、これはコードブックが完全にネスト化されている限り可能であり得る（たとえば、ＬＴＥ  Ｒｅｌｅａｓｅ  ８および１０のために使用される４つの送信アンテナコードブックはこの特性を持つ）。次いで、ランク２のＰＭＩの他の層を共同スケジュールＵＥのために利用し得ることを仮定して、能力の計算は、選択されたランク１のプリコーダに対応するランク２のＰＭＩに基づいて進行し得る。したがって、他の層は干渉の働きをし得る。最後に、好ましいＭＵ−ＭＩＭＯパフォーマンスに対応するランク１のプリコーディングインデックスは、ＭＵ−ＭＩＭＯ仮定のもとで得られたＣＱＩとともにフィードバックされてもよい。
【００６４】
スケジューリング装置（たとえば、ｅノードＢ）で、このフィードバックは、ＭＵ−ＭＩＭＯユーザペアリングを実行するために利用し得る。たとえば、ＰＭＩがＭＵーＭＩＭＯ仮定の下で判定されたということがわかっている場合、ｅノードＢは上記の説明に基づいて、どのプリコーダペアリングが仮定されたのかを判定することができ、互換性がある別のＵＥからフィードバック報告を発見しようとし得る。具体的には、ｅノードＢは、第１のＵＥのプリコーダペアリングの仮定とマッチするプリコーダを指示した別のＵＥが存在するかどうかを判定し得る。ＭＵ−ＭＩＭＯ仮定が明示的に通知されない場合、ＭＵ−ＭＩＭＯのために報告が実行されたかどうかを判定するために、ある暗黙の閾値仮定が使用されてもよい。
【００６５】
十分なユーザが存在し、コードブックが交換されたプリコーダのペアを備える場合、２つの互換性がある列を持つペアリングを発見することができてもよい。さらに、２つのランク１の報告をマッチングする代わりに、（上述のように、ＭＵ−ＭＩＭＯフィードバックを持つ）ランク１のユーザを、互換性がある列を備えることができ、その支配層が第１のＵＥのプリコーダペアリング仮定と整合し得るランク２のフィードバックとマッチさせることができてもよい。
【００６６】
フィードバックシグナリングのための方法
上記では、仮定プリコーダペアリングとともにＭＵ−ＭＩＭＯ報告をフィードバックするためにランク１のＳＵ−ＭＩＭＯ報告を利用する目的で、ＵＥがネスト化されたコードブック構造を活用し得るようにし得る技法について説明している。この手順に従うだけでは、ｅノードＢは、ＭＵ−ＭＩＭＯ前提の下で計算された「変更された」ランク１の報告と真のランク１ＳＵ−ＭＩＭＯ報告を区別できない可能性があることがわかる。この問題を回避するために、このＭＵ−ＭＩＭＯ固有の報告を運搬するようにシグナリングを適合させることが可能であり得る。詳細には、この情報を既存のＬＴＥ−Ａフィードバックフレームワークの中に統合するための選択肢がいくつかある。
【００６７】
本開示の一態様では、ランクインジケータ（ＲＩ）の固有値がＭＵ−ＭＩＭＯ報告のシグナリングのために確保され（reserved）得る。たとえば、良い候補は、実際には頻繁に使用されないかもしれないが、ランク６または７などの比較的高ランクのもののうちのいくつかであり得る。しかしながら、ＲＩを８と等しくなるように設定することは、このＲＩの値はピークレート要件を達成するために必要な場合があるので考えられない。
【００６８】
上記と併せて、第１の空間層と第２の空間層を交換し得る新しいシグナリングビットを導入し得る。デルタＣＱＩが使用可能であるか、またはコードブックがすでにすべての対称エントリを備える場合、このことは必要とされなくてもよく、すなわち、各プリコーダのために交換された第１の層と第２の層とを持つ対称ペアもまたコードブックの要素であってよい。代わりに、２つの確保（reserved）ＲＩ値が使用され得る。第１の確保ＲＩ値は層の名目の順位を示してもよく、第２の確保ＲＩ値は層の交換順位を示してもよい。デルタＣＱＩが使用可能であるか、またはコードブックがすでにすべての対称エントリを備える場合、第２の確保ＲＩ値は必要とされなくてもよい。
【００６９】
本開示の別の態様では、デルタＣＱＩのいくつかの値は、ＭＵ−ＭＩＭＯ固有の報告を指示するために確保され得る。ＭＵ−ＭＩＭＯレート予測のために実際のＣＱＩ値が１つだけ必要とされ得るので、ランク２の報告の中のどの層が支配層に関連すべきなのかについての情報とともに、ＭＵ−ＭＩＭＯ報告を指示するためにデルタＣＱＩの最大の正の値および負の値を確保することが考えられる。
【００７０】
リンク適応
ｅノードＢでのリンク適応は、本開示の中で提案するように、強化されたＭＵ−ＭＩＭＯフィードバックの可能性を考慮し得る。しかしながら、好ましいプリコーダペアリングを指示することに関連したパフォーマンスの強化は、２つのＵＥが互換性があるフィードバック報告を持つ可能性が高まることから、ＵＥの数が多い場合に、より顕著であり得ることがわかる。
【００７１】
ＵＥの数が比較的少ない場合にパフォーマンスを落とすことを回避するために、本開示の中で前述したように、ｅノードＢは通常のＭＵ−ＭＩＯ動作も同様に考慮し得る。しかしながら、１つまたは複数のマッチするＵＥ報告を識別し得る場合に改善されたＭＵ−ＭＩＭＯパフォーマンスを十分に活かす目的で、通常のＭＵ−ＭＩＭＯ動作によって発生する大規模なリンク適応エラーにペナルティを課すためにバックオフ（backoff）を追加し得る。
【００７２】
上述の本開示の態様は、主に、好ましいプリコーダペアリングをランク１のＳＵ−ＭＩＭＯ報告手順を使用してフィードバックし得る場合に焦点を当てている。一態様では、この目的のために同様に、ＣＱＩ値およびデルタＣＱＩ値を備えるランク２の報告フォーマットを使用し得る。具体的には、後者のフォーマットを使用することには、ＭＵ−ＭＩＭＯ前提とＳＵ−ＭＩＭＯ前提の両方の下での単一層送信のためにＣＱＩを運搬し得るという利点がある。たとえば、一態様では、ランク２の報告のＣＱＩ値は、共同スケジュール層の存在を仮定することなく、（上述のＭＵ−ＭＩＭＯ報告の一部として識別された）支配層の単一層送信に関連付けることができ得る。一方、デルタＣＱＩ値は、そのような共同スケジュール層が存在するという前提の下でＣＱＩを捕獲し得る。同じ報告の中で両方の値を捕獲することは、ｅノードＢで柔軟性を高めるという利益を与えることができ、したがってより正確に、それぞれランク１の送信またはＭＵ−ＭＩＭＯ動作においてユーザをスケジューリングし得る。
【００７３】
一態様では、ＵＥの好ましいプリコーダの選択は、コードブックの中で使用可能なプリコーダのサブセットに限定され得る。たとえば、これは、ＵＥがその後好ましいプリコーダを提案するコードブック指標のセットを半静的にシグナリングすることによって実行し得る。限定されたプリコーダのサブセットは、たとえば無線リソース制御（ＲＲＣ）シグナリングを介して、ｅノードＢによってＵＥに通知され得る。この方法は、チャネル状態がかなり安定しており、ｅノードＢが構成されるＵＥのために良好なペアリングの選択肢であり得る他のＵＥについて限られた知識しか持たない場合など、いくつかのシナリオでは利点を持ち得る。
【００７４】
上述の好ましいプリコーダペアのためのサブセットの限定は、プリコーディングコードブックからコードワードのセットをシグナリングすることに限定されなくてもよい。たとえば、別の態様では、ｅノードＢからの追加シグナリングに依存しても、依存しなくてもよい、いくつかの他の基準に基づいてプリコーダペアリングを実行することが考えられる。具体的には、ＵＥがそれに基づいてプリコーダペアをランク付けし、それに応じて報告すべき好ましいペアを選択し得る、好ましいプリコーディングの指示をｅノードＢがシグナリングすることが考えられる。
【００７５】
別の態様では、本開示で説明するシグナリング技法は、ＭＵ−ＭＩＭＯ固有の報告を指示すること以外の目的で使用し得る。たとえば、異種（heterogeneous）ネットワークの状況では、異なる時間のインターレースに対応するフィードバック報告では、非常に異なる干渉状態が発生し得る。このことは次に、そのようなインターレースでサポートされ得るランクに影響を及ぼすことが予想される。しかしながら、各インターレースのためにＲＩ値を構成することはできない場合があるので、たとえばＰＭＩまたはＣＱＩ情報の一部として、ランクを何らかの他の手段によって運搬し得る技法を可能にすることが有用である。
【００７６】
本開示に取り込まれているシグナリング技法は、この目的を達成するための１つの手段である。具体的には、異なるインターレースで干渉状態が大きく異なる結果，ＣＱＩ値もまた大幅に異なることが予想される。たとえば、「良好な」インターレースのセットではランク２が大部分の時間サポートされるが、一方で異なるインターレースのセットではランク１がより有利であると考え得る。それらのインターレースについては、ランク２の報告が送信されなければならなくても、ＣＱＩまたはデルタＣＱＩのいくつかの組合せが確保され得、したがって、実際にはその固有のインターレースではランク１がより有利であるということを伝え得る。
【００７７】
図４は、本開示のいくつかの態様による、フィードバックを報告するために第１のＵＥで実行され得る例示的な動作４００を示す。４０２で、第１のＵＥは、シングルユーザ（ＳＵ）通信およびマルチユーザ（ＭＵ）通信のために統合された構造を備えたフィードバック報告を生成することができ、フィードバック報告の中で示される層は、ｅノードＢによる第１のＵＥへの別の予想送信と同時に実行される、ｅノードＢによる第２のＵＥへの予想送信に関連し得る。４０４で、第１のＵＥは、ｅノードＢにフィードバック報告を送信し得る。
【００７８】
図５は、本開示のいくつかの態様による、ｅノードＢにおいて実行され得る例示的な動作５００を示す。５０２で、ｅノードＢは、ＳＵ通信およびＭＵ通信のために統合された構造を備えたフィードバック報告を複数のＵＥから受信し得る。５０４で、ｅノードＢは、フィードバック報告に基づいて、ｅノードＢからの潜在的な同時送信のためにＵＥのうちの少なくとも２つを識別することができ、少なくとも２つのＵＥのうちの第１のものから送信されたフィードバック報告の中の第１のものにおける情報は、少なくとも２つのＵＥのうちの第２のものから送信されたフィードバック報告の第２のものにおける情報とマッチし得る。
【００７９】
上記で説明した方法の様々な動作は、対応する機能を実行することが可能な任意の好適な手段によって実行され得る。それらの手段は、限定はしないが、回路、特定用途向け集積回路（ＡＳＩＣ）、またはプロセッサを含む、様々なハードウェアおよび／またはソフトウェア構成要素（複数可）および／またはモジュール（複数可）を含み得る。一般に、図に示す動作がある場合、それらの動作は、同様の番号をもつ対応するカウンターパートのミーンズプラスファンクション構成要素を有し得る。たとえば、図４および図５に示す動作４００および５００は、図４Ａおよび図５Ａに示す構成要素４００Ａおよび５００Ａに対応する。
【００８０】
たとえば、生成するための手段は、たとえば図２のユーザ端末２５０のプロセッサ２７０、または図３のワイヤレスデバイス３０２のプロセッサ３０４などの特定用途向け集積回路を備え得る。送信するための手段は、たとえばユーザ端末２５０の送信機２５４、またはワイヤレスデバイス３０２の送信機３１０などの送信機を備え得る。識別するための手段は、たとえば図２のアクセスポイント２１０のプロセッサ２３０、プロセッサ２７０またはプロセッサ３０４などの特定用途向け集積回路を備え得る。シグナリングするための手段は、たとえば送信機２５４または送信機３１０などの送信機を備え得る。受信するための手段は、たとえばアクセスポイント２１０の受信機２２２、ユーザ端末２５０の受信機２５４、またはワイヤレスデバイス３０２の受信機３１２などの受信機を備え得る。マッチングするための手段は、たとえばプロセッサ２３０またはプロセッサ３０４などの特定用途向け集積回路を備え得る。評価するための手段は、たとえばプロセッサ２３０またはプロセッサ３０４などの特定用途向け集積回路を備え得る。指示するための手段は、たとえばプロセッサ２３０またはプロセッサ３０４などの特定用途向け集積回路を備え得る。スケジューリングするための手段は、たとえばプロセッサ２３０またはプロセッサ３０４などの特定用途向け集積回路を備え得る。
【００８１】
本明細書で使用する「判断（determining）」という用語は、多種多様なアクションを包含する。たとえば、「判断」は、計算、算出、処理、導出、調査、探索（たとえば、テーブル、データベース、または別のデータ構造での探索）、確認などを含み得る。また、「判断」は、受信（たとえば、情報を受信すること）、アクセス（たとえば、メモリ中のデータにアクセスすること）などを含み得る。また、「判断」は、解決、選択、選出、確立などを含み得る。
【００８２】
本明細書で使用する、項目のリスト「のうちの少なくとも１つ」を指す句は、単一のメンバーを含む、それらのアイテムの任意の組合せを指す。一例として、「ａ、ｂまたはｃのうちの少なくとも１つ」は、ａ、ｂ、ｃ、ａ−ｂ、ａ−ｃ、ｂ−ｃおよびａ−ｂ−ｃを含むものとする。
【００８３】
本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス（ＰＬＤ）、個別ゲートまたはトランジスタ論理、個別ハードウェア構成要素、あるいは本明細書で説明した機能を実行するように設計されたそれらの任意の組合せを用いて実装または実行し得る。汎用プロセッサはマイクロプロセッサであり得るが、代替として、プロセッサは、任意の市販のプロセッサ、コントローラ、マイクロコントローラ、または状態機械であり得る。プロセッサは、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもでき得る。
【００８４】
本開示に関連して説明した方法またはアルゴリズムのステップは、直接ハードウェアか、プロセッサによって実行されるソフトウェアモジュールか、またはその２つの組合せで実施し得る。ソフトウェアモジュールは、当技術分野で知られている任意の形式の記憶媒体中に常駐し得る。使用し得る記憶媒体のいくつかの例には、ランダムアクセスメモリ（ＲＡＭ）、読取り専用メモリ（ＲＯＭ）、フラッシュメモリ、ＥＰＲＯＭメモリ、ＥＥＰＲＯＭメモリ、レジスタ、ハードディスク、リムーバブルディスク、ＣＤ−ＲＯＭなどがある。ソフトウェアモジュールは、単一の命令、または多数の命令を備えることができ、いくつかの異なるコードセグメント上で、異なるプログラム間で、および複数の記憶媒体にわたって分散され得る。記憶媒体は、プロセッサがその記憶媒体から情報を読み取ることができ、その記憶媒体に情報を書き込み得るように、プロセッサに結合し得る。代替として、記憶媒体はプロセッサに一体化し得る。
【００８５】
本明細書で開示する方法は、説明した方法を達成するための１つまたは複数のステップまたはアクションを備える。本方法のステップおよび／またはアクションは、特許請求の範囲の範囲から逸脱することなく互いに入れ替えることができ得る。言い換えれば、ステップまたはアクションの特定の順序が指定されない限り、特定のステップおよび／またはアクションの順序および／または使用は、特許請求の範囲の範囲から逸脱することなく変更し得る。
【００８６】
説明した機能は、ハードウェア、ソフトウェア、ファームウェア、またはそれらの任意の組合せで実装し得る。ハードウェアで実装した場合、例示的なハードウェア構成はワイヤレスノードの中に処理システムを備え得る。処理システムは、バスアーキテクチャとともに実装され得る。バスは、処理システムの特定の適用例および全体的な設計制約に応じて、任意の数の相互接続バスおよびブリッジを含み得る。バスは、プロセッサと、機械可読媒体と、バスインターフェースとを含む様々な回路を互いにリンクし得る。バスインターフェースは、ネットワークアダプタを、特に、バスを介して処理システムに接続するために使用され得る。ネットワークアダプタは、ＰＨＹ層の信号処理機能を実装するために使用され得る。ユーザ端末１２０（図１参照）の場合、ユーザインターフェース（たとえば、キーパッド、ディスプレイ、マウス、ジョイスティックなど）もまたバスに接続され得る。バスはまた、タイミングソース、周辺機器、電圧調整器、電力管理回路などの様々な他の回路にリンクし得るが、それらは当技術分野でよく知られており、したがってこれ以上は説明しない。
【００８７】
プロセッサは、機械可読媒体に格納されたソフトウェアの実行を含む、バスおよび一般的な処理を管理することを担当し得る。プロセッサは、１つまたは複数の汎用および／または専用プロセッサを用いて実装し得る。例としては、マイクロプロセッサ、マイクロコントローラ、ＤＳＰプロセッサ、およびソフトウェアを実行し得る他の回路がある。ソフトウェアは、ソフトウェア、ファームウェア、ミドルウェア、マイクロコード、ハードウェア記述言語などの名称にかかわらず、命令、データ、またはそれらの任意の組合せを意味すると広く解釈されたい。機械可読媒体は、例として、ＲＡＭ（ランダムアクセスメモリ）、フラッシュメモリ、ＲＯＭ（読取り専用メモリ）、ＰＲＯＭ（プログラマブル読取り専用メモリ）、ＥＰＲＯＭ（消去可能プログラマブル読取り専用メモリ）、ＥＥＰＲＯＭ（電気消去可能プログラマブル読取り専用メモリ）、レジスタ、磁気ディスク、光ディスク、ハードドライブ、もしくは他の適切な記憶媒体、またはそれらの任意の組合せを含み得る。機械可読媒体はコンピュータプログラム製品において実施され得る。コンピュータプログラム製品はパッケージング材料を備え得る。
【００８８】
ハードウェア実装形態では、機械可読媒体は、プロセッサとは別個の処理システムの一部であり得る。しかしながら、当業者なら容易に理解するように、機械可読媒体またはその任意の部分は処理システムの外部に存在し得る。例として、機械可読媒体は、すべてバスインターフェースを介してプロセッサがアクセスし得る、伝送線路、データによって変調された搬送波、および／またはワイヤレスノードとは別個のコンピュータ製品を含み得る。代替的または追加的に、機械可読媒体またはその任意の部分は、キャッシュおよび／または汎用レジスタファイルがそうであり得るように、プロセッサに統合し得る。
【００８９】
処理システムは、すべて外部バスアーキテクチャを介して他のサポート回路と互いにリンクされる、プロセッサ機能を提供する１つまたは複数のマイクロプロセッサと、機械可読媒体の少なくとも一部を提供する外部メモリとをもつ汎用処理システムとして構成し得る。代替的に、処理システムは、プロセッサをもつＡＳＩＣ（特定用途向け集積回路）と、バスインターフェースと、アクセス端末の場合はユーザインターフェースと、サポート回路と、単一のチップに統合された機械可読媒体の少なくとも一部分とを用いて、あるいは１つまたは複数のＦＰＧＡ（フィールドプログラマブルゲートアレイ）、ＰＬＤ（プログラマブル論理デバイス）、コントローラ、状態機械、ゲート論理、個別ハードウェア構成要素、もしくは他の適切な回路、または本開示全体にわたって説明する様々な機能を実行し得る回路の任意の組合せを用いて、実装され得る。当業者なら、特定の適用例および全体的なシステムに課される全体的な設計制約に応じて、どのようにしたら処理システムについて説明した機能を最も良く実装し得るかを理解されよう。
【００９０】
機械可読媒体は、いくつかのソフトウェアモジュールを備え得る。ソフトウェアモジュールは、プロセッサによって実行されたときに、処理システムに様々な機能を実行させる命令を含む。ソフトウェアモジュールは、送信モジュールと受信モジュールとを含み得る。各ソフトウェアモジュールは、単一の記憶デバイス内に存在することができ、または複数の記憶デバイスに分散し得る。例として、トリガイベントが発生したときに、ソフトウェアモジュールをハードドライブからＲＡＭにロードし得る。ソフトウェアモジュールの実行中、プロセッサは、アクセス速度を高めるために、命令のいくつかをキャッシュにロードし得る。次いで、１つまたは複数のキャッシュラインを、プロセッサによる実行のために汎用レジスタファイルにロードし得る。以下でソフトウェアモジュールの機能に言及する場合、そのような機能は、そのソフトウェアモジュールからの命令を実行したときにプロセッサによって実装されることが理解されよう。
【００９１】
ソフトウェアで実装する場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスし得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気記憶デバイス、もしくは命令またはデータ構造の形態の所望のプログラムコードを搬送または記憶するために使用でき、コンピュータによってアクセスし得る任意の他の媒体を備え得る。さらに、いかなる接続もコンピュータ可読媒体と適切に呼ばれる。たとえば、ソフトウェアが同軸ケーブル、光ファイバーケーブル、より対線、デジタル加入者回線（ＤＳＬ）、または赤外線（ＩＲ）、無線、およびマイクロ波といったワイヤレス技術を使用してウェブサイト、サーバ、または他の遠隔の送信元から送信される場合、その同軸ケーブル、光ファイバーケーブル、より対線、ＤＳＬ、または赤外線、無線、およびマイクロ波といったワイヤレス技術は、媒体の定義に含まれる。本明細書で使用されるとき、ディスク（ｄｉｓｋ）とディスク（ｄｉｓｃ）とは、コンパクトディスク（ｃｏｍｐａｃｔ  ｄｉｓｃ）（ＣＤ）と、レーザーディスク（登録商標）（ｌａｓｅｒ  ｄｉｓｃ）と、光ディスク（ｏｐｔｉｃａｌ  ｄｉｓｃ）と、デジタルバーサタイルディスク（ｄｉｇｉｔａｌ  ｖｅｒｓａｔｉｌｅ  ｄｉｓｃ）（ＤＶＤ）と、フロッピー（登録商標）ディスク（ｆｌｏｐｐｙ（登録商標）  ｄｉｓｋ）と、ブルーレイ（登録商標）ディスク（Ｂｌｕ−ｒａｙ（登録商標）  ｄｉｓｃ）とを含み、ディスク（ｄｉｓｋ）が、通常、磁気的にデータを再生する一方、ディスク（ｄｉｓｃ）は、レーザを用いて光学的にデータを再生する。したがって、いくつかの態様では、コンピュータ可読媒体は一時的でないコンピュータ可読媒体（たとえば、有形媒体）を備え得る。さらに、他の態様では、コンピュータ可読媒体は、一時的なコンピュータ可読媒体（たとえば、信号）を備え得る。上記の組合せもコンピュータ可読媒体の範囲内に含めるべきである。
【００９２】
したがって、いくつかの態様は、本明細書で提示する動作を実行するためのコンピュータプログラム製品を備え得る。たとえば、そのようなコンピュータプログラム製品は、本明細書で説明する動作を実行するために１つまたは複数のプロセッサによって実行可能である命令をその上に記憶した（および／または符号化した）コンピュータ可読媒体を備え得る。いくつかの態様では、コンピュータプログラム製品はパッケージング材料を含み得る。
【００９３】
さらに、本明細書に記載の方法および技法を実行するためのモジュールおよび／または他の適切な手段は、適用可能な場合にユーザ端末および／または基地局によってダウンロードおよび／または他の方法で取得し得ることを諒解されたい。たとえば、本明細書で説明した方法を実行するための手段の転送を可能にするために、そのようなデバイスをサーバに結合し得る。代替的に、本明細書で説明される様々な方法は、ユーザ端末および／または基地局がストレージ手段をデバイスに結合するかまたは与えると様々な方法を得ることができ得るように、ストレージ手段（たとえば、ＲＡＭ、ＲＯＭ、コンパクトディスク（ＣＤ）またはフロッピーディスクなど物理記憶媒体など）によって提供し得る。さらに、本明細書で説明する方法および技法をデバイスに与えるための任意の他の適切な技法を利用し得る。
【００９４】
特許請求の範囲は、上記に示した正確な構成および構成要素に限定されないことを理解されたい。上記の方法および装置の構成、動作および詳細において、特許請求の範囲から逸脱することなく、様々な改変、変更および変形を行うことができ得る。
【００９５】
上記は本開示の態様を対象とするが、本開示の他の態様およびさらなる態様は、その基本的範囲から逸脱することなく考案され得、その範囲は以下の特許請求の範囲によって判断される。
以下に本願発明の当初の特許請求の範囲に記載された発明を付記する。
［Ｃ１］  ワイヤレス通信のための方法であって、
第１のユーザデバイスで、シングルユーザ（ＳＵ）通信およびマルチユーザ（ＭＵ）通信のために統合された構造を備えたフィードバック報告を生成することと、
ここで、前記フィードバック報告の中で示される層が、スケジューリング装置による前記第１のユーザデバイスへの別の予想送信と同時に実行される、前記スケジューリング装置による第２のユーザデバイスへの予想送信に関連し、
前記フィードバック報告を前記スケジューリング装置に送信することと
を備える方法。
［Ｃ２］  前記フィードバック報告が、前記スケジューリング装置による複数の同時送信に関連した複数の層を示し、
前記フィードバック報告が、潜在的な同時送信のために前記スケジューリング装置で使用されるプリコーディング行列情報（ＰＭＩ）を備え、
前記ＰＭＩの行列構造の各列が、前記層のうちの１つを示す、Ｃ１に記載の方法。
［Ｃ３］  前記フィードバック報告が、前記送信および前記別の送信のために前記スケジューリング装置で使用されるプリコーディング行列情報（ＰＭＩ）を備え、
前記ＰＭＩの行列構造のランクが１に等しい、Ｃ１に記載の方法。
［Ｃ４］  前記フィードバック報告の構造が、前記第２のユーザデバイスによって前記スケジューリング装置に送信されるものと同じ統合フィードバック構造を備えた別のフィードバック報告の構造とマッチングされる、Ｃ１に記載の方法。
［Ｃ５］  前記ＳＵ通信だけに合わせて調整された他のプリコーディング情報と比較して、定義されたパフォーマンス範囲内にあるプリコーディング情報のセットを識別することをさらに備え、
ここで、前記フィードバック報告が、前記ＭＵ通信のパフォーマンスが好ましいレベルにあるように前記セットから選択されたプリコーディング情報を備える、Ｃ１に記載の方法。
［Ｃ６］  前記フィードバック報告の中に定義された値のランクインジケータ（ＲＩ）を含むことによって、前記フィードバック報告が前記ＭＵ通信のうちの１つに関連することをシグナリングすることをさらに備える、Ｃ１に記載の方法。
［Ｃ７］  前記フィードバック報告の中に定義された値のデルタチャネル品質インジケータ（ＣＱＩ）を含むことによって、前記フィードバック報告が前記ＭＵ通信のうちの１つに関連することをシグナリングすることをさらに備え、
ここで、ＣＱＩの前記値が、前記第１のユーザデバイスで測定された前記第２のユーザデバイスへの送信から生じた干渉を示す、Ｃ１に記載の方法。
［Ｃ８］  前記フィードバック報告が、前記送信および前記別の送信のために前記スケジューリング装置により潜在的に使用されるプリコーディング情報を備え、
前記プリコーディング情報が、プリコーディング情報のセットの中で好ましいものとして選択される、Ｃ１に記載の方法。
［Ｃ９］  無線リソース制御（ＲＲＣ）シグナリングに基づいて、前記スケジューリング装置から、プリコーディング情報の前記セットについてのシグナリングを受信することをさらに備える、Ｃ８に記載の方法。
［Ｃ１０］  前記フィードバック報告が、前記スケジューリング装置から前記第１のユーザデバイスへの前記ＳＵ通信のパフォーマンスを示すチャネル品質インジケータ（ＣＱＩ）を備え、
前記フィードバック報告が、前記送信および前記別の送信を備える前記ＭＵ通信のパフォーマンスを示す別のＣＱＩを備える、Ｃ１に記載の方法。
［Ｃ１１］  前記フィードバック報告がプリコーディング行列情報（ＰＭＩ）を備え、
前記ＰＭＩの行列構造の列が、前記スケジューリング装置から前記第２のユーザデバイスへの前記送信に関連した層を示し、
前記行列構造の他の列が、前記スケジューリング装置から前記第１のユーザデバイスへの前記別の送信に関連した他の層を示す、Ｃ１に記載の方法。
［Ｃ１２］  前記フィードバック報告が、インターレース上の通信に関連した干渉のレベルを示すチャネル品質インジケータ（ＣＱＩ）とデルタＣＱＩとの組合せを備え、
ＣＱＩとデルタＣＱＩとの前記組合せが、前記インターレース上の前記フィードバック報告に関連したランクを運搬する、Ｃ１に記載の方法。
［Ｃ１３］  ワイヤレス通信のための装置であって、
シングルユーザ（ＳＵ）通信およびマルチユーザ（ＭＵ）通信のために統合された構造を備えたフィードバック報告を生成するための手段と、
ここで、前記フィードバック報告の中で示される層が、スケジューリング装置による前記装置への別の予想送信と同時に実行される、前記スケジューリング装置による別の装置への予想送信に関連し、
前記フィードバック報告を前記スケジューリング装置に送信するための手段と
を備える装置。
［Ｃ１４］  前記フィードバック報告が、前記スケジューリング装置による複数の同時送信に関連した複数の層を示し、
前記フィードバック報告が、潜在的な同時送信のために前記スケジューリング装置で使用されるプリコーディング行列情報（ＰＭＩ）を備え、
前記ＰＭＩの行列構造の各列は、前記層のうちの１つを示す、Ｃ１３に記載の装置。
［Ｃ１５］  前記フィードバック報告が、前記送信および前記別の送信のために前記スケジューリング装置で使用されるプリコーディング行列情報（ＰＭＩ）を備え、
前記ＰＭＩの行列構造のランクは１に等しい、Ｃ１３に記載の装置。
［Ｃ１６］  前記フィードバック報告の構造が、前記他の装置によって前記スケジューリング装置に送信されるものと同じ統合フィードバック構造を備えた別のフィードバック報告の構造とマッチングされる、Ｃ１３に記載の装置。
［Ｃ１７］  前記ＳＵ通信だけに合わせて調整された他のプリコーディング情報と比較して、定義されたパフォーマンス範囲内にあるプリコーディング情報のセットを識別することをさらに備え、
ここで、前記フィードバック報告が、前記ＭＵ通信のパフォーマンスが好ましいレベルにあるように前記セットから選択されたプリコーディング情報を備える、Ｃ１３に記載の装置。
［Ｃ１８］  前記フィードバック報告の中に定義された値のランクインジケータ（ＲＩ）を含むことによって、前記フィードバック報告が前記ＭＵ通信のうちの１つに関連することをシグナリングすることをさらに備える、Ｃ１３に記載の装置。
［Ｃ１９］  前記フィードバック報告の中に定義された値のデルタチャネル品質インジケータ（ＣＱＩ）を含むことによって、前記フィードバック報告が前記ＭＵ通信のうちの１つに関連することをシグナリングするための手段をさらに備え、
ここで、ＣＱＩの前記値が、前記装置で測定された前記他の装置への送信から生じた干渉を示す、Ｃ１３に記載の装置。
［Ｃ２０］  前記フィードバック報告が、前記送信および前記別の送信のために前記スケジューリング装置により潜在的に使用されるプリコーディング情報を備え、
前記プリコーディング情報が、プリコーディング情報のセットの中で好ましいものとして選択される、Ｃ１３に記載の装置。
［Ｃ２１］  無線リソース制御（ＲＲＣ）シグナリングに基づいて、前記スケジューリング装置から、プリコーディング情報の前記セットについてのシグナリングを受信するための手段をさらに備える、Ｃ２０に記載の装置。
［Ｃ２２］  前記フィードバック報告が、前記スケジューリング装置から前記装置への前記ＳＵ通信のパフォーマンスを示すチャネル品質インジケータ（ＣＱＩ）を備え、
前記フィードバック報告が、前記送信および前記別の送信を備える前記ＭＵ通信のパフォーマンスを示す別のＣＱＩを備える、Ｃ１３に記載の装置。
［Ｃ２３］  前記フィードバック報告がプリコーディング行列情報（ＰＭＩ）を備え、
前記ＰＭＩの行列構造の列が、前記スケジューリング装置から前記他の装置への前記送信に関連した層を示し、
前記行列構造の他の列が、前記スケジューリング装置から前記装置への前記別の送信に関連した他の層を示す、Ｃ１３に記載の装置。
［Ｃ２４］  前記フィードバック報告が、インターレース上の通信に関連した干渉のレベルを示すチャネル品質インジケータ（ＣＱＩ）とデルタＣＱＩとの組合せを備え、
ＣＱＩとデルタＣＱＩとの前記組合せが、前記インターレース上の前記フィードバック報告に関連したランクを運搬する、Ｃ１３に記載の装置。
［Ｃ２５］  ワイヤレス通信のための装置であって、
シングルユーザ（ＳＵ）通信およびマルチユーザ（ＭＵ）通信のために統合された構造を備えたフィードバック報告を生成するように構成された第１の回路と、
ここで、前記フィードバック報告の中で示される層が、スケジューリング装置による前記装置への別の予想送信と同時に実行される、前記スケジューリング装置による別の装置への予想送信に関連し、
前記フィードバック報告を前記スケジューリング装置に送信するように構成された送信機と
を備える装置。
［Ｃ２６］  ワイヤレス通信のための実行可能命令を含むコンピュータ可読媒体であって、前記実行可能命令が、
第１のユーザデバイスで、シングルユーザ（ＳＵ）通信およびマルチユーザ（ＭＵ）通信のために統合された構造を備えたフィードバック報告を生成するための命令と、
ここで、前記フィードバック報告の中で示される層が、スケジューリング装置による前記第１のユーザデバイスへの別の予想送信と同時に実行される、前記スケジューリング装置による第２のユーザデバイスへの予想送信に関連し、
前記フィードバック報告を前記スケジューリング装置に送信するための命令と
を備えるコンピュータ可読媒体。
［Ｃ２７］  少なくとも１つのアンテナと、
シングルユーザ（ＳＵ）通信およびマルチユーザ（ＭＵ）通信のために統合された構造を備えたフィードバック報告を生成するように構成された第１の回路と、
ここで。前記フィードバック報告の中で示される層が、スケジューリング装置によるアクセス端末への別の予想送信と同時に実行される、前記アクセスポイントによる別のアクセス端末への予想送信に関連し、
前記少なくとも１つのアンテナを介して、前記フィードバック報告を前記アクセスポイントに送信するように構成された送信機と
を備えるアクセス端末。
［Ｃ２８］  ワイヤレス通信のための方法であって、
スケジューリング装置で、複数の装置から、シングルユーザ（ＳＵ）通信およびマルチユーザ（ＭＵ）通信のために統合された構造を備えたフィードバック報告を受信することと、
前記フィードバック報告に基づいて、前記スケジューリング装置から少なくとも２つの装置への潜在的な同時送信のために前記装置のうちの少なくとも２つを識別することとを備え、
ここで、前記少なくとも２つの装置のうちの第１のものから送信される前記フィードバック報告のうちの第１のものにおける情報が、前記少なくとも２つの装置のうちの第２のものから送信される前記フィードバック報告のうちの第２のものにおける情報とマッチする方法。
［Ｃ２９］  識別することが、
前記第１のフィードバック報告の中で示されるプリコーディング情報を、前記第２のフィードバック報告の中で示される他のプリコーディング情報とマッチングすることをさらに備え、
前記プリコーディング情報が前記第１の装置への送信のために使用され、前記他のプリコーディング情報が前記第２の装置への送信のために使用される、Ｃ２８に記載の方法。
［Ｃ３０］  前記フィードバック報告および定義されたエラー値に基づいて、前記少なくとも２つの装置との通信のパフォーマンスを評価することをさらに備える、Ｃ２８に記載の方法。
［Ｃ３１］  前記第１のフィードバック報告は前記ＭＵ通信を示し、
前記第２のフィードバック報告は前記ＳＵ通信を示し、
同時送信のために前記少なくとも２つの装置を識別することが、前記第２の装置で測定された、前記スケジューリング装置から前記第１の装置への前記同時送信のうちの１つから生じた干渉を示す前記第２のフィードバック報告のチャネル品質指示（ＣＱＩ）にさらに基づく、Ｃ２８に記載の方法。
［Ｃ３２］  無線リソース制御（ＲＲＣ）シグナリングを使用して、前記装置の各々にプリコーディング情報のセットを示すことをさらに備え、
ここで、前記セットから前記プリコーディング情報のうちの１つが、その装置への、および複数の装置のうちの別の装置への潜在的な同時送信のために前記スケジューリング装置によって使用されるべき装置で選択される、Ｃ２８に記載の方法。
［Ｃ３３］  前記セットから選択されるプリコーディング情報が、前記同時送信の前に前記スケジューリング装置によって潜在的に適用されるべきプリコーダのペアについての情報を備える、Ｃ３２に記載の方法。
［Ｃ３４］  前記フィードバック報告のうちの少なくとも１つが、前記スケジューリング装置から発信された前記ＳＵ通信のパフォーマンスを示すチャネル品質インジケータ（ＣＱＩ）を備え、
前記フィードバック報告のうちの前記少なくとも１つが、前記スケジューリング装置から発信された前記ＭＵ通信のパフォーマンスを示す別のＣＱＩを備え、
前記ＣＱＩおよび前記他のＣＱＩに基づいて、前記ＳＵ通信または前記ＭＵ通信のうちの少なくとも１つをスケジューリングすることをさらに備える、Ｃ２８に記載の方法。
［Ｃ３５］  前記フィードバック報告の各々が、インターレース上の通信に関連した干渉のレベルを示すチャネル品質インジケータ（ＣＱＩ）とデルタＣＱＩとの組合せを備え、
ＣＱＩとデルタＣＱＩとの前記組合せに基づいて、前記インターレース上のそのフィードバック報告に関連したランクを判定することをさらに備える、Ｃ２８に記載の方法。
［Ｃ３６］  ワイヤレス通信のための装置であって、
複数の装置から、シングルユーザ（ＳＵ）通信およびマルチユーザ（ＭＵ）通信のために統合された構造を備えたフィードバック報告を受信するための手段と、
前記フィードバック報告に基づいて、前記装置から少なくとも２つの装置への潜在的な同時送信のために前記装置のうちの少なくとも２つを識別するための手段を備え、
ここで、前記少なくとも２つの装置のうちの第１のものから送信される前記フィードバック報告のうちの第１のものにおける情報が、前記少なくとも２つの装置のうちの第２のものから送信される前記フィードバック報告のうちの第２のものにおける情報とマッチする装置。
［Ｃ３７］  前記識別するための手段が、
前記第１のフィードバック報告の中で示されるプリコーディング情報を、前記第２のフィードバック報告の中で示される他のプリコーディング情報とマッチングするための手段をさらに備え、
ここで、前記プリコーディング情報が前記第１の装置への送信のために使用され、前記他のプリコーディング情報が前記第２の装置への送信のために使用される、Ｃ３６に記載の装置。
［Ｃ３８］  前記フィードバック報告および定義されたエラー値に基づいて、前記少なくとも２つの装置との通信のパフォーマンスを評価するための手段をさらに備えるＣ３６に記載の装置。
［Ｃ３９］  前記第１のフィードバック報告は前記ＭＵ通信を示し、
前記第２のフィードバック報告は前記ＳＵ通信を示し、
同時送信のために前記少なくとも２つの装置を識別することが、前記第２の装置で測定された、前記装置から前記第１の装置への前記同時送信のうちの１つから生じた干渉を示す前記第２のフィードバック報告のチャネル品質指示（ＣＱＩ）にさらに基づく、Ｃ３６に記載の装置。
［Ｃ４０］  無線リソース制御（ＲＲＣ）シグナリングを使用して、前記装置の各々にプリコーディング情報のセットを示すための手段をさらに備え、
ここで、前記セットの前記プリコーディング情報のうちの１つが、その装置への、および複数の装置のうちの別の装置への潜在的な同時送信のために前記装置によって使用されるべき装置で選択される、Ｃ３６に記載の装置。
［Ｃ４１］  前記セットから選択されるプリコーディング情報が、前記同時送信の前に前記装置によって潜在的に適用されるべきプリコーダのペアについての情報を備える、Ｃ４０に記載の装置。
［Ｃ４２］  前記フィードバック報告のうちの少なくとも１つが、前記装置から発信された前記ＳＵ通信のパフォーマンスを示すチャネル品質インジケータ（ＣＱＩ）を備え、
前記フィードバック報告のうちの前記少なくとも１つが、前記装置から発信された前記ＭＵ通信のパフォーマンスを示す別のＣＱＩを備え、前記装置が、
前記ＣＱＩおよび前記他のＣＱＩに基づいて、前記ＳＵ通信または前記ＭＵ通信のうちの少なくとも１つをスケジューリングするための手段をさらに備える、Ｃ３６に記載の装置。
［Ｃ４３］  前記受信したフィードバック報告の各々が、インターレース上の通信に関連した干渉のレベルを示すチャネル品質インジケータ（ＣＱＩ）とデルタＣＱＩとの組合せを備え、
ＣＱＩとデルタＣＱＩとの前記組合せに基づいて、前記インターレース上のそのフィードバック報告に関連したランクを判定するための手段をさらに備える、Ｃ３６に記載の装置。
［Ｃ４４］  ワイヤレス通信のための装置であって、
複数の装置から、シングルユーザ（ＳＵ）通信およびマルチユーザ（ＭＵ）通信のために統合された構造を備えたフィードバック報告を受信するように構成された受信機と、
前記フィードバック報告に基づいて、前記装置から少なくとも２つの装置への潜在的な同時送信のために前記装置のうちの少なくとも２つを識別するように構成された第１の回路とを備え、
ここで、前記少なくとも２つの装置のうちの第１のものから送信される前記フィードバック報告のうちの第１のものにおける情報が、前記少なくとも２つの装置のうちの第２のものから送信される前記フィードバック報告のうちの第２のものにおける情報とマッチする装置。
［Ｃ４５］  ワイヤレス通信のための実行可能命令を含むコンピュータ可読媒体であって、前記実行可能命令が、
スケジューリング装置で、複数の装置から、シングルユーザ（ＳＵ）通信およびマルチユーザ（ＭＵ）通信のために統合された構造を備えたフィードバック報告を受信するための命令と、
前記フィードバック報告に基づいて、前記スケジューリング装置から少なくとも２つの装置への潜在的な同時送信のために前記装置のうちの少なくとも２つを識別するための命令とを備え、
ここで、前記少なくとも２つの装置のうちの第１のものから送信される前記フィードバック報告のうちの第１のものにおける情報が、前記少なくとも２つの装置のうちの第２のものから送信される前記フィードバック報告のうちの第２のものにおける情報とマッチするコンピュータ可読媒体。
［Ｃ４６］  少なくとも１つのアンテナと、
複数のアクセス端末から前記少なくとも１つのアンテナを介して、シングルユーザ（ＳＵ）通信およびマルチユーザ（ＭＵ）通信のために統合された構造を備えたフィードバック報告を受信するように構成された受信機と、
前記フィードバック報告に基づいて、前記アクセスポイントから少なくとも２つのアクセス端末への潜在的な同時送信のために前記アクセス端末のうちの少なくとも２つを識別するように構成された第１の回路とを備え、
ここで、前記少なくとも２つのアクセス端末のうちの第１のものから送信される前記フィードバック報告のうちの第１のものにおける情報が、前記少なくとも２つのアクセス端末のうちの第２のものから送信される前記フィードバック報告のうちの第２のものにおける情報とマッチするアクセスポイント。
【図１】
0006022533.tif 000002
【図２】
0006022533.tif 000003
【図３】
0006022533.tif 000004
【図４】
0006022533.tif 000005
【図４Ａ】
0006022533.tif 000006
【図５】
0006022533.tif 000007
【図５Ａ】
0006022533.tif 000008